(57)【要約】      （修正有）【課題】ライセンスされていない無線周波数スペクトル帯域におけるユーザ機器の送信を管理する方法を提供する。【解決手段】第１の方法は、ユーザ機器のペイロードのサイズに基づいてペイロードを多重化すべきかどうかを決定し、リソースの単一のインターレース上でペイロードを送信するために、コードまたはサイクリックシフトをＵＥに割り振る。第２の方法は、第１の送信のために使用される第１のコードまたは第１のサイクリックシフトを決定し、第２の送信のために第２のコードまたは第２のサイクリックシフトをＵＥに割り振る。ここで、第２の送信は、リソースのインターレース上で第１の送信と多重化される。第３の方法は、ライセンスされていない無線周波数スペクトル帯域を占有するための第１の送信のために、リソースの第１のインターレースを割り振り、第２の送信のために、基地局によって占有されるリソースの第２のインターレースを割り振る。【選択図】図４Ａ
2020171045.tif 000002
【特許請求の範囲】
【請求項１】
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を備える、ワイヤレス通信のための方法。
【請求項２】
前記ペイロードの前記サイズに基づいて、前記ペイロードを多重化すべきかどうかを決定することは、
前記ペイロードの前記サイズが、ペイロードサイズしきい値を満たすかどうかを決定すること
を含む、請求項１に記載の方法。
【請求項３】
前記１つまたは複数のコードあるいは前記１つまたは複数のサイクリックシフトのうちの前記少なくとも１つを前記１つまたは複数のＵＥに割り振ることが、
少なくとも２つのコードまたはサイクリックシフトを使用して、対応するペイロードを送信するために、少なくとも２つのコードまたはサイクリックシフトを前記１つまたは複数のＵＥのうちの単一のＵＥに割り振ること
を含む、請求項１に記載の方法。
【請求項４】
前記ペイロードが、前記１つまたは複数のコードのうちの少なくとも２つのコードを使用して、リソースの前記単一のインターレース上で符号分割多重化される、請求項１に記載の方法。
【請求項５】
前記ペイロードが、前記１つまたは複数のサイクリックシフトのうちの少なくとも２つのサイクリックシフトを使用して、リソースの前記単一のインターレース上で多重化される、請求項１に記載の方法。
【請求項６】
リソースの前記単一のインターレースは、前記１つまたは複数のＵＥのうちの各ＵＥが、前記１つまたは複数のコードあるいは前記１つまたは複数のサイクリックシフトのうちの前記少なくとも１つを使用して、リソースの前記単一のインターレース中でビットを送信することを可能にするように構造化された複数のアップリンクリソースを備える、請求項１に記載の方法。
【請求項７】
前記１つまたは複数のコードが、１つまたは複数のウォルシュコードである、請求項１に記載の方法。
【請求項８】
変調およびコーディング方式（ＭＣＳ）と、前記１つまたは複数のコードあるいは前記１つまたは複数のサイクリックシフトのうちの前記少なくとも１つの総量とに基づいて、トランスポートブロックサイズ（ＴＢＳ）を決定すること
をさらに備える、請求項１に記載の方法。
【請求項９】
リソースの前記単一のインターレースが、物理アップリンク制御チャネル（ＰＵＣＣＨ）フォーマット２を使用して構造化された複数のアップリンクリソースを備える、請求項１に記載の方法。
【請求項１０】
リソースの前記単一のインターレースが、物理アップリンク制御チャネル（ＰＵＣＣＨ）フォーマット３を使用して構造化された複数のアップリンクリソースを備える、請求項１に記載の方法。
【請求項１１】
前記１つまたは複数のコードあるいは前記１つまたは複数のサイクリックシフトのうちの前記少なくとも１つを前記１つまたは複数のＵＥに割り振ることが、
前記１つまたは複数のＵＥに、無線リソース制御（ＲＲＣ）信号を使用して、リソースの前記単一のインターレース上で前記ペイロードを送信するように命令すること
を備える、請求項１に記載の方法。
【請求項１２】
前記１つまたは複数のコードあるいは前記１つまたは複数のサイクリックシフトのうちの前記少なくとも１つを前記１つまたは複数のＵＥに割り振ることが、
前記１つまたは複数のＵＥに、ダウンリンク許可を使用して、リソースの前記単一のインターレース上で前記ペイロードを送信するように命令すること
を備える、請求項１に記載の方法。
【請求項１３】
前記ペイロードのうちのあるペイロードを送信することに関連する巡回冗長検査（ＣＲＣ）情報が、２４ビットよりも少ないビットの量を含む、請求項１に記載の方法。
【請求項１４】
リソースの前記単一のインターレースが、ライセンスされていないスペクトルのチャネル中に含まれる、請求項１に記載の方法。
【請求項１５】
第１の送信のために使用される第１のコードまたは第１のサイクリックシフトを決定することと、ここにおいて、前記第１の送信が、リソースのインターレースを使用して送信され、
第２の送信のために、複数の第２のコードまたは複数の第２のサイクリックシフトを１つまたは複数のユーザ機器（ＵＥ）に割り振ることと、ここにおいて、前記第２の送信が、リソースの前記インターレース上で前記第１の送信と多重化され、
を備える、ワイヤレス通信のための方法。
【請求項１６】
前記第２の送信のために、前記複数の第２のコードまたは前記複数の第２のサイクリックシフトを前記１つまたは複数のＵＥに割り振ることが、
前記１つまたは複数のＵＥのうちのＵＥに、リソースの前記インターレース中に含まれるアップリンクリソース上で、物理アップリンク制御チャネル（ＰＵＣＣＨ）情報を送信するように、または物理アップリンク共有チャネル（ＰＵＳＣＨ）を送信するように命令すること
を備える、請求項１５に記載の方法。
【請求項１７】
リソースの前記インターレース上でのチャネル占有情報の送信のために、前記第１のコードまたは前記第１のサイクリックシフトを割り振ることと、
前記１つまたは複数のＵＥに、前記第１のコードまたは前記第１のサイクリックシフトを使用して、リソースの前記インターレース上で前記チャネル占有情報を送信するように命令することと
をさらに備える、請求項１５に記載の方法。
【請求項１８】
前記１つまたは複数のＵＥのうちのＵＥに、リソースの前記インターレースのうちのアップリンクリソースの第１のサブセット上でチャネル占有情報を送信するように命令することと、
情報の送信のために、リソースの前記インターレースのうちのアップリンクリソースの第２のサブセットを前記ＵＥに割り振ることと、
をさらに備え、
アップリンクリソースの前記第１のサブセットが、アップリンクリソースの前記第２のサブセットとは異なる、請求項１５に記載の方法。
【請求項１９】
前記ＵＥに、アップリンクリソースの前記第１のサブセット上で前記チャネル占有情報を送信するように命令することが、
前記ＵＥに、前記第１のコードまたは前記第１のサイクリックシフトを使用して、アップリンクリソースの前記第１のサブセット上で前記チャネル占有情報を送信するように命令すること
を備える、請求項１８に記載の方法。
【請求項２０】
前記ＵＥに、アップリンクリソースの前記第１のサブセット上で前記チャネル占有情報を送信するように命令することは、リソースの前記インターレースを含むチャネルに関連する帯域幅要件が満たされることを引き起こす、請求項１８に記載の方法。
【請求項２１】
リソースの前記インターレースのうちのアップリンクリソースが、ＰＵＣＣＨフォーマット２を使用して構造化される、請求項１５に記載の方法。
【請求項２２】
リソースの前記インターレースのうちのアップリンクリソースが、ＰＵＣＣＨフォーマット３を使用して構造化される、請求項１５に記載の方法。
【請求項２３】
リソースの前記インターレースが、ライセンスされていないスペクトルのチャネル中に、またはロングタームエボリューション（ＬＴＥ）ネットワークに関連するチャネル中に含まれる、請求項１５に記載の方法。
【請求項２４】
ワイヤレス通信のための方法であって、前記方法は、
第１の送信のために、リソースの第１のインターレースを割り振ることと、ここにおいて、前記第１の送信が、ライセンスされていない無線周波数スペクトル帯域を占有するためのものであり、
第２の送信のために、リソースの少なくとも第２のインターレースを割り振ることと、ここにおいて、リソースの前記少なくとも第２のインターレースが、複数の基地局のうちの基地局によって占有され、
を備える、方法。
【請求項２５】
リソースの前記少なくとも第２のインターレースを割り振ることは、
リソースのインターレースが、前記複数の基地局のうちの第１の基地局に割り振られたと決定することと、
リソースの別のインターレースを前記複数の基地局のうちの第２の基地局に割り振ることと、リソースの前記別のインターレースが、リソースの前記インターレースとは異なる、
を備える、請求項２４に記載の方法。
【請求項２６】
ワイヤレス通信のための基地局であって、前記基地局が、
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を行うための１つまたは複数のプロセッサ
を備える、基地局。
【請求項２７】
前記１つまたは複数のプロセッサは、前記ペイロードの前記サイズに基づいて、前記ペイロードを多重化すべきかどうかを決定するとき、
前記ペイロードの前記サイズが、ペイロードサイズしきい値を満たすかどうかに基づいて、前記ペイロードを多重化すべきかどうかを決定すること
をさらに行うためのものである、請求項２６に記載の基地局。
【請求項２８】
前記１つまたは複数のプロセッサが、前記１つまたは複数のコードあるいは前記１つまたは複数のサイクリックシフトのうちの前記少なくとも１つを前記１つまたは複数のＵＥに割り振るとき、
少なくとも２つのコードまたはサイクリックシフトにおいてを使用して、対応するペイロードを送信するために、前記少なくとも２つのコードまたはサイクリックシフトを前記１つまたは複数のＵＥのうちの単一のＵＥに割り振ること
をさらに行うためのものである、請求項２６に記載の基地局。
【請求項２９】
前記ペイロードが、前記１つまたは複数のコードのうちの少なくとも２つのコードを使用して、リソースの前記単一のインターレース上で符号分割多重化される、請求項２６に記載の基地局。
【請求項３０】
前記ペイロードが、前記１つまたは複数のサイクリックシフトのうちの少なくとも２つのサイクリックシフトを使用して、リソースの前記単一のインターレース上で多重化される、請求項２６に記載の基地局。
【発明の詳細な説明】
【相互参照】
【０００１】
[0001]本特許出願は、各々が本出願の譲受人に譲渡された、２０１５年１２月４日に出願された、「Techniques for Managing Transmissions in an Unlicensed Radio Frequency Spectrum Band」と題する、Ｙｅｒｒａｍａｌｌｉらによる米国特許出願第１４／９５９，６５９号、２０１４年１２月１２日に出願された、「Techniques for Managing Transmissions in an Unlicensed Radio Frequency Spectrum Band」と題する、Ｙｅｒｒａｍａｌｌｉらによる米国仮特許出願第６２／０９１，３４５号に対する優先権を主張する。
【背景技術】
【０００２】
開示の分野
[0002]本開示は、たとえば、ワイヤレス通信システムに関し、より詳細には、ライセンスされていない無線周波数スペクトル帯域における送信を管理するための技法に関する。
【０００３】
関連技術の説明
[0003]ワイヤレスデバイスは、ロングタームエボリューション無線アクセス技術、Ｗｉ−Ｆｉ（登録商標）無線アクセス技術など、１つまたは複数の無線アクセス技術を使用して、ライセンスされていない無線周波数スペクトル帯域上で通信し得る。ライセンスされていない無線周波数スペクトル帯域は、無線周波数スペクトル帯域を介して通信するための規制機関ルールに準拠する任意のデバイスによる共用のためにオープンである無線周波数スペクトル帯域を指すことがある。たいていのライセンスされている無線周波数スペクトル帯域使用とは対照的に、ライセンスされていない無線周波数スペクトル帯域のユーザは、たとえば、他のユーザのデバイスからの無線干渉に対する規制保護を有しない。言い換えれば、ライセンスされていない無線周波数スペクトル帯域を使用するデバイスは、たとえば、ライセンスされていない無線周波数スペクトル帯域を使用する他のデバイスによって引き起こされる何らかの無線干渉を許容しなければならない。
【発明の概要】
【０００４】
[0004]いくつかの態様では、ワイヤレス通信のための方法は、１つまたは複数のユーザ機器（ＵＥ）のペイロードのサイズを決定することを含み得る。本方法は、ペイロードのサイズに基づいて、１つまたは複数のＵＥのペイロードを多重化すべきかどうかを決定することを含み得る。本方法は、１つまたは複数のＵＥのペイロードを多重化するという決定に基づいて、リソースの単一のインターレース上でペイロードを送信するために、１つまたは複数のコードあるいは１つまたは複数のサイクリックシフトのうちの少なくとも１つを１つまたは複数のＵＥに割り振ることを含み得る。
【０００５】
[0005]いくつかの態様では、ワイヤレス通信のための基地局は、１つまたは複数のユーザ機器（ＵＥ）のペイロードのサイズを決定し得る。本基地局は、ペイロードのサイズに基づいて、１つまたは複数のＵＥのペイロードを多重化すべきかどうかを決定し得る。本基地局は、１つまたは複数のＵＥのペイロードを多重化するという決定に基づいて、リソースの単一のインターレース上でペイロードを送信するために、１つまたは複数のコードあるいは１つまたは複数のサイクリックシフトのうちの少なくとも１つを１つまたは複数のＵＥに割り振り得る。
【０００６】
[0006]一例では、ペイロードのサイズに基づく、ペイロードを多重化すべきかどうかに関する決定は、ペイロードのサイズが、ペイロードサイズしきい値を満たすかどうかを決定することを含み得る。
【０００７】
[0007]一態様では、１つまたは複数のプロセッサが、１つまたは複数のコードあるいは１つまたは複数のサイクリックシフトのうちの少なくとも１つを１つまたは複数のＵＥに割り振るとき、少なくとも２つのコードまたはサイクリックシフトを使用して、対応するペイロードを送信するために、少なくとも２つのコードまたはサイクリックシフトを１つまたは複数のＵＥのうちの単一のＵＥに割り振り得る。
【０００８】
[0008]一態様では、１つまたは複数のコードあるいは１つまたは複数のサイクリックシフトのうちの少なくとも１つを１つまたは複数のＵＥに割り振ることが、少なくとも２つのコードまたはサイクリックシフトを使用して、対応するペイロードを送信するために、少なくとも２つのコードまたはサイクリックシフトを１つまたは複数のＵＥのうちの単一のＵＥに割り振ることを含み得る。ペイロードは、１つまたは複数のコードのうちの少なくとも２つのコードを使用して、リソースの単一のインターレース上で符号分割多重化され得るか、あるいはペイロードは、１つまたは複数のサイクリックシフトのうちの少なくとも２つのサイクリックシフトを使用して、リソースの単一のインターレース上で多重化され得るか、あるいはそれらの組合せである。
【０００９】
[0009]いくつかの態様では、リソースの単一のインターレースは、１つまたは複数のＵＥのうちの各ＵＥが、１つまたは複数のコードあるいは１つまたは複数のサイクリックシフトのうちの少なくとも１つを使用して、リソースの単一のインターレース中でビットを送信することを可能にするように構造化された複数のアップリンクリソースを備え得る。１つまたは複数のコードは、１つまたは複数のウォルシュコードであり得る。
【００１０】
[0010]一例では、変調およびコーディング方式（ＭＣＳ）と、１つまたは複数のコードあるいは１つまたは複数のサイクリックシフトのうちの少なくとも１つの総量とに基づく、トランスポートブロックサイズ（ＴＢＳ）が決定され得る。
【００１１】
[0011]いくつかの態様では、リソースの単一のインターレースは、物理アップリンク制御チャネル（ＰＵＣＣＨ）フォーマット２、または物理アップリンク制御チャネル（ＰＵＣＣＨ）フォーマット３、またはそれらの組合せを使用して構造化された複数のアップリンクリソースを備え得る。一例では、１つまたは複数のコードあるいは１つまたは複数のサイクリックシフトのうちの少なくとも１つを１つまたは複数のＵＥに割り振ることが、１つまたは複数のＵＥに、ダウンリンク許可を使用して、リソースの単一のインターレース上でペイロードを送信するように命令することを備え得る。一例では、ペイロードのうちのあるペイロードを送信することに関連する巡回冗長検査（ＣＲＣ）情報が、２４ビットよりも少ないビットの量を含み得る。
【００１２】
[0012]いくつかの態様では、リソースの単一のインターレースは、ライセンスされていないスペクトルのチャネル中に含まれ得る。
【００１３】
[0013]いくつかの態様では、非一時的コンピュータ可読媒体は、基地局の１つまたは複数のプロセッサによって実行されたとき、１つまたは複数のプロセッサに、１つまたは複数のユーザ機器（ＵＥ）のペイロードのサイズを決定することを行わせるワイヤレス通信のための１つまたは複数の命令を含み得る。１つまたは複数の命令は、１つまたは複数のプロセッサに、ペイロードのサイズに基づいて、１つまたは複数のＵＥのペイロードを多重化すべきかどうかを決定することを行わせ得る。１つまたは複数の命令は、１つまたは複数のプロセッサに、１つまたは複数のＵＥのペイロードを多重化するという決定に基づいて、リソースの単一のインターレース上でペイロードを送信するために、１つまたは複数のコードあるいは１つまたは複数のサイクリックシフトのうちの少なくとも１つを１つまたは複数のＵＥに割り振ることを行わせ得る。
【００１４】
[0014]いくつかの態様では、ワイヤレス通信のための装置は、１つまたは複数のユーザ機器（ＵＥ）のペイロードのサイズを決定するための手段を含み得る。本装置は、ペイロードのサイズに基づいて、１つまたは複数のＵＥのペイロードを多重化すべきかどうかを決定するための手段を含み得る。本装置は、１つまたは複数のＵＥのペイロードを多重化するという決定に基づいて、リソースの単一のインターレース上でペイロードを送信するために、１つまたは複数のコードあるいは１つまたは複数のサイクリックシフトのうちの少なくとも１つを１つまたは複数のＵＥに割り振るための手段を含み得る。
【００１５】
[0015]いくつかの態様では、ワイヤレス通信のための方法は、第１の送信のために使用される第１のコードまたは第１のサイクリックシフトを決定することを含み得、ここにおいて、第１の送信が、リソースのインターレースを使用して送信され得る。本方法は、第２の送信のために、複数の第２のコードまたは複数の第２のサイクリックシフトを１つまたは複数のユーザ機器（ＵＥ）に割り振ることを含み得、ここにおいて、第２の送信が、リソースのインターレース上で第１の送信と多重化され得る。
【００１６】
[0016]いくつかの態様では、第２の送信のために、複数の第２のコードまたは複数の第２のサイクリックシフトを１つまたは複数のＵＥに割り振ることが、１つまたは複数のＵＥのうちのＵＥに、リソースのインターレース中に含まれるアップリンクリソース上で、物理アップリンク制御チャネル（ＰＵＣＣＨ）情報を送信するように、または物理アップリンク共有チャネル（ＰＵＳＣＨ）を送信するように命令することを備え得る。
【００１７】
[0017]一例では、リソースのインターレース上でのチャネル占有情報の送信のために、第１のコードまたは第１のサイクリックシフトが割り振られ得、１つまたは複数のＵＥが、第１のコードまたは第１のサイクリックシフトを使用して、リソースのインターレース上でチャネル占有情報を送信するように命令され得る。別の例では、１つまたは複数のＵＥのうちのＵＥが、リソースのインターレースのうちのアップリンクリソースの第１のサブセット上でチャネル占有情報を送信するように命令され得、リソースのインターレースのうちの（アップリンクリソースの第１のサブセットとは異なる）アップリンクリソースの第２のサブセットが、情報の送信のためにＵＥに割り振られ得る。
【００１８】
[0018]一態様では、ＵＥに、アップリンクリソースの第１のサブセット上でチャネル占有情報を送信するように命令することが、ＵＥに、第１のコードまたは第１のサイクリックシフトを使用して、アップリンクリソースの第１のサブセット上でチャネル占有情報を送信するように命令することを備え得る。別の態様では、ＵＥに、アップリンクリソースの第１のサブセット上でチャネル占有情報を送信するように命令することは、リソースのインターレースを含むチャネルに関連する帯域幅要件が満たされることを引き起こし得る。
【００１９】
[0019]一例では、リソースのインターレースのうちのアップリンクリソースは、ＰＵＣＣＨフォーマット２、またはＰＵＣＣＨフォーマット３、またはそれらの組合せを使用して構造化され得る。
【００２０】
[0020]いくつかの態様では、リソースのインターレースは、ライセンスされていないスペクトルのチャネル中に、またはロングタームエボリューション（ＬＴＥ（登録商標））ネットワークに関連するチャネル中に含まれ得る。
【００２１】
[0021]いくつかの態様では、ワイヤレス通信のための基地局は、第１の送信のために使用される第１のコードまたは第１のサイクリックシフトを決定し得、ここにおいて、第１の送信が、リソースのインターレースを使用して送信され得る。本基地局は、第２の送信のために、複数の第２のコードまたは複数の第２のサイクリックシフトを１つまたは複数のユーザ機器（ＵＥ）に割り振り得、ここにおいて、第２の送信が、リソースのインターレース上で第１の送信と多重化され得る。
【００２２】
[0022]いくつかの態様では、非一時的コンピュータ可読媒体は、基地局の１つまたは複数のプロセッサによって実行されたとき、１つまたは複数のプロセッサに、第１の送信のために使用される第１のコードまたは第１のサイクリックシフトを決定することを行わせるワイヤレス通信のための１つまたは複数の命令を含み得、ここにおいて、第１の送信が、リソースのインターレースを使用して送信され得る。１つまたは複数の命令は、１つまたは複数のプロセッサに、第２の送信のために、複数の第２のコードまたは複数の第２のサイクリックシフトを１つまたは複数のユーザ機器（ＵＥ）に割り振ることを行わせ得、ここにおいて、第２の送信が、リソースのインターレース上で第１の送信と多重化され得る。
【００２３】
[0023]いくつかの態様では、ワイヤレス通信のための装置は、第１の送信のために使用される第１のコードまたは第１のサイクリックシフトを決定するための手段を含み得、ここにおいて、第１の送信が、リソースのインターレースを使用して送信され得る。本装置は、第２の送信のために、複数の第２のコードまたは複数の第２のサイクリックシフトを１つまたは複数のユーザ機器（ＵＥ）に割り振るための手段を含み得、ここにおいて、第２の送信が、リソースのインターレース上で第１の送信と多重化され得る。
【００２４】
[0024]いくつかの態様では、ワイヤレス通信のための方法は、第１の送信のために、リソースの第１のインターレースを割り振ることを含み得、ここにおいて、第１の送信が、ライセンスされていない無線周波数スペクトル帯域を占有するためのものであり得る。本方法は、第２の送信のために、リソースの少なくとも第２のインターレースを割り振ることを含み得、ここにおいて、リソースの少なくとも第２のインターレースが、複数の基地局のうちの基地局によって占有され得る。
【００２５】
[0025]いくつかの態様では、リソースの少なくとも第２のインターレースを割り振ることは、リソースのインターレースが、複数の基地局のうちの第１の基地局に割り振られたと決定することと、リソースの別のインターレースを複数の基地局のうちの第２の基地局に割り振ることとを備え得、リソースのインターレースとは異なり得るリソースの別のインターレース。
【００２６】
[0026]いくつかの態様では、ワイヤレス通信のための基地局は、第１の送信のために、リソースの第１のインターレースを割り振り得、ここにおいて、第１の送信が、ライセンスされていない無線周波数スペクトル帯域を占有するためのものであり得る。本基地局は、第２の送信のために、リソースの少なくとも第２のインターレースを割り振り得、ここにおいて、リソースの少なくとも第２のインターレースが、複数の基地局のうちの基地局によって占有され得る。
【００２７】
[0027]いくつかの態様では、非一時的コンピュータ可読媒体は、１つまたは複数の基地局の１つまたは複数のプロセッサによって実行されたとき、１つまたは複数のプロセッサに、第１の送信のために、リソースの第１のインターレースを割り振ることを行わせるワイヤレス通信のための１つまたは複数の命令を含み得、ここにおいて、第１の送信が、ライセンスされていない無線周波数スペクトル帯域を占有するためのものであり得る。１つまたは複数の命令は、１つまたは複数のプロセッサに、第２の送信のために、リソースの少なくとも第２のインターレースを割り振ることを行わせ得、ここにおいて、リソースの少なくとも第２のインターレースが、複数の基地局のうちの基地局によって占有され得る。
【００２８】
[0028]いくつかの態様では、ワイヤレス通信のための装置は、第１の送信のために、リソースの第１のインターレースを割り振るための手段を含み得、ここにおいて、第１の送信が、ライセンスされていない無線周波数スペクトル帯域を占有するためのものであり得る。本装置は、第２の送信のために、リソースの少なくとも第２のインターレースを割り振るための手段を含み得、ここにおいて、リソースの少なくとも第２のインターレースが、複数の基地局のうちの基地局によって占有される。
【００２９】
[0029]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００３０】
[0030]本開示の性質および利点のさらなる理解は、以下の図面を参照して実現され得る。添付の図において、同様のコンポーネントまたは特徴は同じ参照ラベルを有し得る。さらに、同じタイプの様々なコンポーネントは、参照ラベルの後に、ダッシュと、それらの同様のコンポーネント同士を区別する第２のラベルとを続けることによって区別され得る。第１の参照ラベルのみが本明細書において使用される場合、説明は、第２の参照ラベルにかかわらず、同じ第１の参照ラベルを有する同様のコンポーネントのいずれにも適用可能である。
【図面の簡単な説明】
【００３１】
【図１】[0031]本開示の様々な態様による、ワイヤレス通信システムのブロック図。
【図２】[0032]本開示の様々な態様による、ロングタームエボリューション（ＬＴＥ）および／またはＬＴＥアドバンスト（ＬＴＥ−Ａ）が、ライセンスされていない無線周波数スペクトル帯域を使用して異なるシナリオの下で展開され得るワイヤレス通信システムを示す図。
【図３】[0033]本開示の様々な態様による、基地局およびＵＥを示すブロック図。
【図４Ａ】[0034]本開示の様々な態様による、リソースのインターレース上での（たとえば、データのビットの）送信のために、コードおよび／またはサイクリックシフトを１つまたは複数のＵＥに割り振ることの一例を示す図。
【図４Ｂ】[0035]本開示の様々な態様による、リソースのインターレースを使用する第１の送信のために、第１のコードおよび／または第１のサイクリックシフトを割り振ることと、リソースのインターレースを使用する第２の送信のために、第２のコードおよび／または第２のサイクリックシフトをＵＥに割り振ることとの一例を示す図。
【図４Ｃ】[0036]本開示の様々な態様による、ライセンスされていない無線周波数スペクトル帯域を占有することに関連する第１の送信のために、リソースの第１のインターレースを割り振ることと、１つまたは複数の基地局による第２の送信のために、リソースの第２のインターレースを割り振ることとの一例を示す図。
【図５Ａ】[0037]本開示の様々な態様による、リソースのインターレース上での送信のために、コードおよび／またはサイクリックシフトを１つまたは複数のＵＥに割り振るための方法の一例を示すフローチャート。
【図５Ｂ】[0038]本開示の様々な態様による、ライセンスされていない無線周波数スペクトル帯域における送信のために使用されるリソースの複数インターレースを含み得るアップリンク構造の一例を示す図。
【図６Ａ】[0039]本開示の様々な態様による、図５Ａに示されている方法の例に関係する一例を示す図。
【図６Ｂ】本開示の様々な態様による、図５Ａに示されている方法の例に関係する一例を示す図。
【図７】[0040]本開示の様々な態様による、リソースのインターレースを使用する送信のために、異なるコードおよび／または異なるサイクリックシフトを複数のＵＥに割り振るための方法の一例を示すフローチャート。
【図８Ａ】[0041]本開示の様々な態様による、図７に示されている方法の例に関係する一例を示す図。
【図８Ｂ】本開示の様々な態様による、図７に示されている方法の例に関係する一例を示す図。
【図９】[0042]本開示の様々な態様による、ライセンスされていない無線周波数スペクトル帯域を占有することに関連する送信と、基地局による送信とのために、リソースの異なるインターレースを割り振るための方法の一例を示すフローチャート。
【図１０Ａ】[0043]本開示の様々な態様による、図９に示されている方法の例に関係する一例を示す図。
【図１０Ｂ】本開示の様々な態様による、図９に示されている方法の例に関係する一例を示す図。
【発明を実施するための形態】
【００３２】
[0044]例示的な態様の以下の詳細な説明は、添付の図面を参照する。異なる図面中の同じ参照番号は、同じまたは同様の要素を識別し得る。
【００３３】
[0045]ライセンスされていない無線周波数スペクトル帯域がワイヤレス通信システム上での通信の少なくとも一部分のために使用される技法について説明する。いくつかの例では、ライセンスされていない無線周波数スペクトル帯域は、ロングタームエボリューション（ＬＴＥ）通信および／またはＬＴＥアドバンスト（ＬＴＥ−Ａ）通信のためのセルラーネットワークの基地局およびユーザ機器（ＵＥ）によって、ならびにＷｉ−Ｆｉ通信のためのＷｉ−ＦｉネットワークのＷｉ−ＦｉアクセスポイントおよびＷｉ−Ｆｉ局によって使用され得る。ライセンスされていない無線周波数スペクトル帯域は、ライセンスされている無線周波数スペクトル帯域と組み合わせて、またはそれとは無関係にセルラーネットワークによって使用され得る。いくつかの例では、ライセンスされていない無線周波数スペクトル帯域は、無線周波数スペクトル帯域が、少なくとも部分的に、Ｗｉ−Ｆｉ使用など、ライセンスされていない使用のために、利用可能であるので、デバイスがそれのためにアクセスを求めて競合する必要があり得る、無線周波数スペクトル帯域であり得る。
【００３４】
[0046]ライセンスされていない無線周波数スペクトル帯域（たとえば、５ギガヘルツ（ＧＨｚ）ライセンスされていない無線周波数スペクトル帯域）における送信は、（たとえば、ＵＥから基地局への）アップリンク方向と（たとえば、基地局からＵＥへの）ダウンリンク方向の両方における帯域幅の最小しきい値量（たとえば、総帯域幅の８０％）を占有することが必要とされ得る。
【００３５】
[0047]アップリンク方向における送信に関して、アップリンク送信は、帯域幅要件の最小しきい値量を満たすために、リソースの複数インターレースを使用し得る（たとえば、リソースの各インターレースは、ライセンスされていない無線周波数帯域幅にわたって分散され得る複数のアップリンクリソース（たとえば、リソースブロック（ＲＢ））を含み得る）。たとえば、ライセンスされていない無線周波数スペクトル帯域の帯域幅は２０メガヘルツ（ＭＨｚ）であり得、２０ＭＨｚ帯域は、ある時間期間（たとえば、１ミリ秒（ｍｓ）サブフレーム）の間、１００個のアップリンクリソース（たとえば、ＲＢ）に分割され得る。したがって、この例では、１００個のアップリンクリソースが、その時間期間中にアップリンク送信のために利用可能であり得る。アップリンクリソース（たとえば、１００個のアップリンクリソース）は、リソースの１０個のインターレースに分割され得る。したがって、リソースの各インターレースは、帯域幅にわたって分散された１０個のアップリンクリソースを含み得る（たとえば、リソースの１番目のインターレースは、１番目のリソースブロック、１１番目のリソースブロック、２１番目のリソースブロック、３１番目のリソースブロック、４１番目のリソースブロック、５１番目のリソースブロック、６１番目のリソースブロック、７１番目のリソースブロック、８１番目のリソースブロック、および９１番目のリソースブロックを含み得、リソースの１０番目のインターレースは、１０番目のリソースブロック、２０番目のリソースブロック、３０番目のリソースブロック、４０番目のリソースブロック、５０番目のリソースブロック、６０番目のリソースブロック、７０番目のリソースブロック、８０番目のリソースブロック、９０番目のリソースブロック、および１００番目のリソースブロックを含み得る、などである）。
【００３６】
[0048]ＵＥは、アップリンク方向における少量の情報の送信のために、リソースのインターレースを割り振られ得る。したがって、上記の例を続けると、ＵＥは、アップリンク送信のために、１０個のアップリンクリソース（たとえば、ＲＢ）を含み得るリソースのインターレースを割り振られ得る。しかしながら、そのような割振りは、ＵＥが少量の情報を送信しているとき、（たとえば、ＵＥ電力消費に関して、アップリンクリソースの効率的な使用に関してなど）非効率的であり、および／または望ましくないことがある。たとえば、１０個のアップリンクリソースを含み得るリソースのインターレース（たとえば、インターレース全体）をＵＥに割り振ることは、ＵＥが、少量の情報（たとえば、物理アップリンク共有チャネル（ＰＵＳＣＨ）上の少量の情報および／または物理アップリンク制御チャネル（ＰＵＣＣＨ）上の少量の情報）を含む送信のために、数個のアップリンクリソース（たとえば、１つのアップリンクリソースまたは２つのアップリンクリソース）を必要とし得るとき、非効率的であり、および／または望ましくないことがある。
【００３７】
[0049]本明細書で説明する本開示の態様は、複数のＵＥの少量の情報の送信が、リソースのインターレース（たとえば、リソースの単一のインターレース）上で（たとえば、割り振られたコードおよび／またはサイクリックシフトを使用して）多重化され得るように、コードおよび／またはサイクリックシフトを複数のＵＥに割り振ることによって、複数のＵＥが、ライセンスされていない無線周波数スペクトル帯域においてリソースのインターレースのうちのアップリンクリソースを効率的に使用することを可能にし得る。このようにして、複数のＵＥの電力消費も低減され得る。
【００３８】
[0050]同様に、本開示の態様はまた、チャネル占有情報（たとえば、廃棄、無視、および／または削除などされ得る情報）の送信のために、リソースのインターレースの第１のコードおよび／または第１のサイクリックシフトを割り振ることによって、ならびに複数のＵＥのデータの送信のために、リソースのインターレースの他のコードおよび／または他のサイクリックシフトを割り振ることによって、複数のＵＥが、リソースのインターレースのうちのアップリンクリソースを効率的に使用することを可能にし得る。その上、複数のＵＥの各ＵＥは、リソースのインターレースのうちのリソースのサブセット（たとえば、リソースブロックのセット）を割り振られ得る。たとえば、ＵＥは、ＵＥに割り振られたコードおよび／またはサイクリックシフトを使用して、リソースのインターレースのうちのリソースの割り振られたサブセット中でデータを送信し、チャネル占有情報の送信のために割り振られたコードおよび／またはサイクリックシフトを使用して、リソースのインターレースのうちの他のリソース中でチャネル占有情報を送信し得る。
【００３９】
[0051]ダウンリンク方向における送信に関して、基地局は、ライセンスされていない無線周波数スペクトル帯域のための帯域幅占有要件を満たすために、および／またはライセンスされていない無線周波数スペクトル帯域を占有するために、（たとえば、アップリンク方向における送信に関して上記で説明したものと同様の様式で）リソースのインターレース上で送信するように構成され得る。（たとえば、パブリックランドモバイルネットワーク（ＰＬＭＮ）事業者によって実装された）複数の基地局は、ライセンスされていない無線周波数スペクトル帯域のための帯域幅占有要件を満たすために、および／またはライセンスされていない無線周波数スペクトル帯域を占有するために、ダウンリンクリソースのリソースの第１のインターレースの割振りを調整し（coordinate）得る。複数の基地局は、セル間干渉を緩和するために、互いの間でダウンリンクリソースのリソースの残りのインターレースを割り振り得る。たとえば、ダウンリンクリソースのリソースの残りのインターレースの各々は、複数の基地局の各々に割り振られ得る。複数の基地局間の調整（coordination）の１つの可能な技法は、セル間干渉調整（ＩＣＩＣ）技法を実装することであり得る。本明細書で説明する本開示の態様は、同時に、ライセンスされていない無線周波数スペクトル帯域を占有し、ライセンスされていない無線周波数スペクトル帯域のための帯域幅占有要件を満たすために、複数の基地局に、リソースのインターレース中でチャネル占有情報を送信させることによって、および複数の基地局の間でリソースの他のインターレースの割振りを調整させることによって、（たとえば、セル間干渉を緩和するために）ライセンスされていない無線周波数スペクトル帯域のダウンリンクリソースが、複数の基地局によって効率的に使用されることを可能にし得る。
【００４０】
[0052]図１に、本開示の様々な態様による、ワイヤレス通信システム１００のブロック図を示す。ワイヤレス通信システム１００は、セルラーネットワークとＷｉ−Ｆｉネットワークとを含み得る。セルラーネットワークは、１つまたは複数の基地局１０５、１０５−ａと、１つまたは複数のＵＥ１１５、１１５−ａと、コアネットワーク１３０とを含み得る。Ｗｉ−Ｆｉネットワークは、１つまたは複数のＷｉ−Ｆｉアクセスポイント１３５、１３５−ａと、１つまたは複数のＷｉ−Ｆｉ局１４０、１４０−ａとを含み得る。
【００４１】
[0053]ワイヤレス通信システム１００のセルラーネットワークに関して、コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５、１０５−ａは、バックホールリンク１３２（たとえば、Ｓ１など）を通してコアネットワーク１３０とインターフェースし得、ＵＥ１１５、１１５−ａとの通信のための無線構成およびスケジューリングを実行し得るか、または基地局コントローラ（図示せず）の制御下で動作し得る。様々な例では、基地局１０５、１０５−ａは、ワイヤードまたはワイヤレス通信リンクであり得るバックホールリンク１３４（たとえば、Ｘ２など）を介して、直接的または間接的のいずれかで（たとえば、コアネットワーク１３０を通して）、互いと通信し得る。
【００４２】
[0054]基地局１０５、１０５−ａは、１つまたは複数の基地局アンテナを介してＵＥ１１５、１１５−ａとワイヤレス通信し得る。基地局１０５、１０５−ａのサイトの各々は、それぞれの地理的カバレージエリア１１０に通信カバレージを与え得る。いくつかの例では、基地局１０５、１０５−ａは、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５、１０５−ａのための地理的カバレージエリア１１０は、カバレージエリアの一部分を構成するセクタに分割され得る（図示せず）。セルラーネットワークは、異なるタイプの基地局１０５、１０５−ａ（たとえば、マクロセル基地局および／またはスモールセル基地局）を含み得る。異なる技術のための重複する地理的カバレージエリア１１０があり得る。
【００４３】
[0055]いくつかの例では、セルラーネットワークはＬＴＥ／ＬＴＥ−Ａネットワークを含み得る。ＬＴＥ／ＬＴＥ−Ａネットワークでは、発展型ノードＢ（ｅＮＢ）という用語は、基地局１０５、１０５−ａを表すために使用され得、ＵＥという用語は、ＵＥ１１５、１１５−ａを表すために使用され得る。セルラーネットワークは、異なるタイプのｅＮＢが様々な地理的領域にカバレージを与える、異種ＬＴＥ／ＬＴＥ−Ａネットワークであり得る。たとえば、各ｅＮＢまたは基地局１０５、１０５−ａは、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４４】
[0056]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、ライセンスされている、ライセンスされていないなどの）無線周波数スペクトル帯域においてマクロセルとして動作し得る低電力基地局であり得る。スモールセルは、様々な例によれば、ピコセル、フェムトセル、およびマイクロセルを含み得る。ピコセルは、比較的より小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００４５】
[0057]セルラーネットワークは同期動作または非同期動作をサポートし得る。同期動作の場合、基地局は同様のフレームタイミングを有し得、異なる基地局からの送信は近似的に時間的にアラインされ（aligned）得る。非同期動作の場合、基地局は異なるフレームタイミングを有し得、異なる基地局からの送信は時間的にアラインされないことがある。本明細書で説明する技法は、同期動作または非同期動作のいずれかのために使用され得る。
【００４６】
[0058]セルラーネットワークは、いくつかの例では、階層化プロトコルスタックに従って動作するパケットベースネットワークを含み得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネル上で通信するためにパケットセグメンテーションおよびリアセンブリを実行し得る。ＭＡＣレイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ：Hybrid ARQ）を使用し得る。制御プレーンでは、無線リソース制御（ＲＲＣ：Radio Resource Control）プロトコルレイヤが、ユーザプレーンデータのための無線ベアラをサポートする、ＵＥ１１５、１１５−ａと基地局１０５、１０５−ａまたはコアネットワーク１３０との間のＲＲＣ接続の確立と構成と維持とを行い得る。物理（ＰＨＹ）レイヤにおいて、トランスポートチャネルは物理チャネルにマッピングされ得る。
【００４７】
[0059]ＵＥ１１５、１１５−ａは、ワイヤレス通信システム１００全体にわたって分散され得、各ＵＥ１１５、１１５−ａは固定または移動であり得る。ＵＥ１１５、１１５−ａは、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５、１１５−ａは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局１０５、１０５−ａおよびネットワーク機器と通信することが可能であり得る。
【００４８】
[0060]ワイヤレス通信システム１００に示されている通信リンク１２５は、基地局１０５、１０５−ａからＵＥ１１５、１１５−ａへのダウンリンク（ＤＬ）送信、および／またはＵＥ１１５、１１５−ａから基地局１０５、１０５−ａへのアップリンク（ＵＬ）送信を搬送し得る。ダウンリンク送信は順方向リンク送信と呼ばれることもあり、アップリンク送信は逆方向リンク送信と呼ばれることもある。
【００４９】
[0061]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対（paired）スペクトルリソースを使用して）、または時間領域複信（ＴＤＤ：time domain duplexing）動作を使用して（たとえば、不対（unpaired）スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００５０】
[0062]ワイヤレス通信システム１００のいくつかの例では、基地局１０５、１０５−ａおよび／またはＵＥ１１５、１１５−ａは、基地局１０５、１０５−ａとＵＥ１１５、１１５−ａとの間の通信品質と信頼性とを改善するために、アンテナダイバーシティ方式を採用するために複数のアンテナを含み得る。追加または代替として、基地局１０５、１０５−ａおよび／またはＵＥ１１５、１１５−ａは、同じまたは異なるコード化データを搬送する複数の空間レイヤを送信するために、マルチパス環境を利用し得る多入力多出力（ＭＩＭＯ）技法を採用し得る。
【００５１】
[0063]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５、１１５−ａは、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５２】
[0064]ワイヤレス通信システム１００のＷｉ−Ｆｉネットワークに関して、Ｗｉ−Ｆｉアクセスポイント１３５、１３５−ａは、１つまたは複数の通信リンク１４５上で、１つまたは複数のＷｉ−Ｆｉアクセスポイントアンテナを介してＷｉ−Ｆｉ局１４０、１４０−ａとワイヤレス通信し得る。いくつかの例では、Ｗｉ−Ｆｉアクセスポイント１３５、１３５−ａは、米国電気電子協会（ＩＥＥＥ）規格８０２．１１（たとえば、ＩＥＥＥ規格８０２．１１ａ、ＩＥＥＥ規格８０２．１１ｎ、またはＩＥＥＥ規格８０２．１１ａｃ）など、１つまたは複数のＷｉ−Ｆｉ通信規格を使用して、Ｗｉ−Ｆｉ局１４０、１４０−ａと通信し得る。
【００５３】
[0065]いくつかの例では、Ｗｉ−Ｆｉ局１４０、１４０−ａは、セルラーフォン、携帯情報端末（ＰＤＡ）、ワイヤレス通信デバイス、ハンドヘルドデバイス、タブレットコンピュータ、ラップトップコンピュータなどであり得る。いくつかの例では、装置は、ＵＥ１１５、１１５−ａとＷｉ−Ｆｉ局１４０、１４０−ａの両方の態様を含み得、そのような装置は、第１の無線アクセス技術（ＲＡＴ）（たとえば、セルラーＲＡＴ、または複数のセルラーＲＡＴ）を使用して、１つまたは複数の基地局１０５、１０５−ａと通信し、第２のＲＡＴ（たとえば、Ｗｉ−Ｆｉ  ＲＡＴ、または複数のＷｉ−Ｆｉ  ＲＡＴ）を使用して、１つまたは複数のＷｉ−Ｆｉアクセスポイント１３５、１３５−ａと通信し得る。
【００５４】
[0066]いくつかの例では、基地局１０５、１０５−ａおよびＵＥ１１５、１１５−ａは、ライセンスされている無線周波数スペクトル帯域および／またはライセンスされていない無線周波数スペクトル帯域上で通信し得るが、Ｗｉ−Ｆｉアクセスポイント１３５、１３５−ａおよびＷｉ−Ｆｉ局１４０、１４０−ａは、ライセンスされていない無線周波数スペクトル帯域上で通信し得る。したがって、ライセンスされていない無線周波数スペクトル帯域は、基地局１０５、１０５−ａ、ＵＥ１１５、１１５−ａ、Ｗｉ−Ｆｉアクセスポイント１３５、１３５−ａ、および／またはＷｉ−Ｆｉ局１４０、１４０−ａによって共有され得る。ライセンスされていない無線周波数スペクトル帯域は、異なるプロトコル（たとえば、異なるＲＡＴ）の下で動作する装置によって共有され得るので、送信装置は、ライセンスされていない無線周波数スペクトル帯域へのアクセスを求めて競合し得る。
【００５５】
[0067]一例として、ライセンスされていない無線周波数スペクトル帯域は、無線スペクトル（たとえば、無線周波数に対応する電磁スペクトルの部分、または約３００ＧＨｚよりも低い周波数）中に含まれる１つまたは複数の無線周波数（たとえば、１つまたは複数の無線周波数スペクトル帯域）を含み得る。いくつかの態様では、ライセンスされていない無線周波数スペクトル帯域は、１つまたは複数の無線周波数スペクトル帯域を介して通信するための（たとえば、特定の国に関連する）規制機関ルールに準拠する任意のデバイスによる共用のためにオープンである１つまたは複数の無線周波数スペクトル帯域を含み得る。たとえば、ライセンスされていない無線周波数スペクトル帯域は、約５ＧＨｚと約６ＧＨｚとの間の１つまたは複数の無線周波数を含み得る。より具体的な例として、ライセンスされていない無線周波数スペクトル帯域は、約５．１５ＧＨｚと約５．８２５ＧＨｚとの間の１つまたは複数の無線周波数を含み得る。
【００５６】
[0068]別の例として、ライセンスされていない無線周波数スペクトル帯域は、ライセンスされていない国内情報インフラストラクチャ（Ｕ−ＮＩＩ：Unlicensed National Information Infrastructure）無線帯域として米国連邦通信委員会（ＦＣＣ）によって定義された１つまたは複数の無線周波数スペクトル帯域を含み得る。Ｕ−ＮＩＩ無線帯域は、たとえば、約５．１５ＧＨｚと約５．２５ＧＨｚとの間の第１の無線周波数スペクトル帯域（たとえば、Ｕ−ＮＩＩ低帯域）、約５．２５ＧＨｚと約５．３５ＧＨｚとの間の第２の無線周波数スペクトル帯域（たとえば、Ｕ−ＮＩＩ中帯域）、約５．４７ＧＨｚと約５．７２５ＧＨｚとの間の第３の無線周波数スペクトル帯域（たとえば、Ｕ−ＮＩＩワールドワイド帯域）、および／または約５．７２５ＧＨｚと約５．８２５ＧＨｚとの間の第４の無線周波数スペクトル帯域（たとえば、Ｕ−ＮＩＩ上側帯域）を含み得る。
【００５７】
[0069]ライセンスされていない無線周波数スペクトル帯域は、ＲＦ通信がそれを介して送信され得るＲＦチャネルに分割され得る。たとえば、ライセンスされていない無線周波数スペクトル帯域は、約２０ＭＨｚ帯域幅の１つまたは複数のチャネルを含み得る。ワイヤレスデバイス（たとえば、ＵＥ１１５、Ｗｉ−Ｆｉアクセスポイント１３５、基地局１０５など）は、ライセンスされていない無線周波数スペクトル帯域中に含まれるＲＦチャネルを介して通信し得る。たとえば、ワイヤレスデバイスは、Ｗｉ−Ｆｉ無線アクセス技術、ＬＴＥ無線アクセス技術などを使用して、ＲＦチャネルを介して通信し得る。いくつかの態様では、ワイヤレスデバイスは、本明細書の他の場所でより詳細に説明するように、ライセンスされていない無線周波数スペクトル帯域を介して送信を送る前に、ライセンスされていない無線周波数スペクトル帯域へのアクセスを求めて競合し得る。
【００５８】
[0070]図２に、本開示の様々な態様による、ＬＴＥおよび／またはＬＴＥ−Ａが、ライセンスされていない無線周波数スペクトル帯域を使用して異なるシナリオの下で展開され得るワイヤレス通信システム２００を示す。より詳細には、図２は、ＬＴＥ／ＬＴＥ−Ａがライセンスされていない無線周波数スペクトル帯域を使用して展開される、補足ダウンリンクモード（たとえば、ライセンスされている支援アクセスモード）と、キャリアアグリゲーションモードと、スタンドアロンモードとの例を示す。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５、１０５−ａのうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５、１１５−ａのうちの１つまたは複数の態様の例であり得る。
【００５９】
[0071]ワイヤレス通信システム２００における補足ダウンリンクモード（たとえば、ライセンスされている支援アクセス）の例では、第１の基地局２０５は、ダウンリンクチャネル２２０を使用して第１のＵＥ２１５に直交周波数分割多元接続（ＯＦＤＭＡ）波形を送信し得る。ダウンリンクチャネル２２０は、ライセンスされていない無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からシングルキャリア周波数分割多元接続（ＳＣ−ＦＤＭＡ）波形を受信し得る。第１の双方向リンク２２５は、ライセンスされている無線周波数スペクトル帯域における周波数Ｆ４に関連し得る。ライセンスされていない無線周波数スペクトル帯域におけるダウンリンクチャネル２２０およびライセンスされている無線周波数スペクトル帯域における第１の双方向リンク２２５は、同時に動作し得る。ダウンリンクチャネル２２０はダウンリンク容量オフロードを第１の基地局２０５に与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、ライセンスされている無線周波数スペクトル帯域を使用し、トラフィックおよび／またはシグナリング輻輳の一部を軽減する必要がある、任意のサービスプロバイダ（たとえば、モバイルネットワーク事業者（ＭＮＯ））に関して発生し得る。
【００６０】
[0072]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブ周波数分割多元接続（ＦＤＭＡ）波形を受信し得る。第２の双方向リンク２３０は、ライセンスされていない無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、ライセンスされている無線周波数スペクトル帯域における周波数Ｆ２に関連し得る。第２の双方向リンク２３０は、第１の基地局２０５にダウンリンクおよびアップリンク容量オフロードを与え得る。上記で説明した補足ダウンリンクモード（たとえば、ライセンスされている支援アクセスモード）のように、このシナリオは、ライセンスされている無線周波数スペクトル帯域を使用し、トラフィックおよび／またはシグナリング輻輳の一部を軽減する必要がある、サービスプロバイダ（たとえば、ＭＮＯ）に関して発生し得る。
【００６１】
[0073]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、ライセンスされていない無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、ライセンスされている無線周波数スペクトル帯域における周波数Ｆ２に関連し得る。第４の双方向リンク２４０は、第１の基地局２０５にダウンリンクおよびアップリンク容量オフロードを与え得る。この例および上記で与えた例は説明の目的で提示され、容量オフロードのために、ライセンスされている無線周波数スペクトル帯域においてＬＴＥ／ＬＴＥ−Ａを組み合わせ、ライセンスされていない無線周波数スペクトル帯域を使用する他の同様の動作モードまたは展開シナリオがあり得る。
【００６２】
[0074]上記で説明したように、ライセンスされていない無線周波数スペクトル帯域におけるＬＴＥ／ＬＴＥ−Ａを使用することによって提供される容量オフロードから恩恵を受け得る１つのタイプのサービスプロバイダは、ＬＴＥ／ＬＴＥ−Ａライセンスされている無線周波数スペクトル帯域へのアクセス権利を有する旧来のＭＮＯである。これらのサービスプロバイダの場合、動作例は、ライセンスされている無線周波数スペクトル帯域上のＬＴＥ／ＬＴＥ−Ａ１次コンポーネントキャリア（ＰＣＣ）とライセンスされていない無線周波数スペクトル帯域上の少なくとも１つの２次コンポーネントキャリア（ＳＣＣ）とを使用するブートストラップモード（たとえば、補足ダウンリンク（またはライセンスされている支援アクセス）、キャリアアグリゲーション）を含み得る。
【００６３】
[0075]キャリアアグリゲーションモードでは、データおよび制御は、たとえば、ライセンスされている無線周波数スペクトル帯域において（たとえば、第１の双方向リンク２２５、第３の双方向リンク２３５、および第５の双方向リンク２４５を介して）通信され得るが、データは、たとえば、ライセンスされていない無線周波数スペクトル帯域において（たとえば、第２の双方向リンク２３０および第４の双方向リンク２４０を介して）通信され得る。ライセンスされていない無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００６４】
[0076]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、ライセンスされていない無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、ライセンスされている無線周波数スペクトル帯域へのアクセスを有しない、スタジアム所有者、ケーブル会社、イベント主催者、ホテル、企業、または大企業であり得る。
【００６５】
[0077]いくつかの例では、図１および／または図２を参照しながら説明した基地局１０５、１０５−ａ、２０５、および／または２０５−ａのうちの１つ、ならびに／あるいは図１および／または図２を参照しながら説明したＵＥ１１５、１１５−ａ、２１５、２１５−ａ、２１５−ｂ、および／または２１５−ｃのうちの１つなどの送信装置は、ライセンスされていない無線周波数スペクトル帯域のチャネルへの（たとえば、ライセンスされていない無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、ライセンスされていない無線周波数スペクトル帯域のチャネルが（ＬＢＴ無線フレームとも呼ばれる）ゲーティング間隔のために利用可能であるのか使用中であるのかを送信装置に示し得る。対応するＬＢＴ無線フレームのためにチャネルが利用可能（たとえば、使用のために「クリア」）であることをＣＣＡプロシージャが示すとき、送信装置は、ＬＢＴ無線フレームの一部または全部の間にライセンスされていない無線周波数スペクトル帯域のチャネルを予約および／または使用し得る。チャネルが利用可能でないこと（たとえば、チャネルが別の送信装置によって使用中または予約済みであること）をＣＣＡプロシージャが示すとき、送信装置は、ＬＢＴ無線フレームの間にチャネルを使用することを妨げられ得る。
【００６６】
[0078]図３に、本開示の様々な態様による、基地局３１０およびＵＥ３１５を示すブロック図を示す。たとえば、図３に示されている基地局３１０およびＵＥ３１５は、それぞれ、図１および／または図２を参照しながら説明した、基地局１０５および／または２０５ならびにＵＥ１１５および／または２１５に対応し得る。基地局３１０はアンテナ３３４1〜３３４tを装備し得、ＵＥ３１５はアンテナ３５２1〜３５２rを装備し得、ここにおいて、ｔおよびｒは１以上の整数である。
【００６７】
[0079]基地局３１０において、基地局送信プロセッサ３２０は、基地局データソース３１２からデータを受信し、基地局コントローラ／プロセッサ３４０から制御情報を受信し得る。制御情報は、物理ブロードキャストチャネル（ＰＢＣＨ：Physical Broadcast Channel）、物理制御フォーマットインジケータチャネル（ＰＣＦＩＣＨ：Physical Control Format Indicator Channel）、物理ハイブリッドＡＲＱインジケータチャネル（ＰＨＩＣＨ：Physical Hybrid-ARQ Indicator Channel）、物理ダウンリンク制御チャネル（ＰＤＣＣＨ：Physical Downlink Control Channel）などの上で搬送され得る。データは、たとえば、物理ダウンリンク共有チャネル（ＰＤＳＣＨ：physical downlink shared channel）の上で搬送され得る。基地局送信プロセッサ３２０は、データシンボルおよび制御シンボルを取得するために、それぞれデータおよび制御情報を処理（たとえば、符号化およびシンボルマッピング）し得る。基地局送信プロセッサ３２０はまた、たとえば、ＰＳＳ、ＳＳＳ、およびセル固有基準信号（ＲＳ：reference signal）のための基準シンボルを生成し得る。基地局送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを基地局変調器／復調器（ＭＯＤ／ＤＥＭＯＤ）３３２1〜３３２tに与え得る。各基地局変調器／復調器３３２は、出力サンプルストリームを取得するために、（たとえば、直交周波数分割多重（ＯＦＤＭ）などのための）それぞれの出力シンボルストリームを処理し得る。各基地局変調器／復調器３３２はさらに、ダウンリンク信号を取得するために、出力サンプルストリームを処理（たとえば、アナログへの変換、増幅、フィルタ処理、およびアップコンバート）し得る。変調器／復調器３３２1〜３３２tからのダウンリンク信号は、それぞれアンテナ３３４1〜３３４tを介して送信され得る。
【００６８】
[0080]ＵＥ３１５において、ＵＥアンテナ３５２1〜３５２rは、基地局３１０からダウンリンク信号を受信し得、受信信号をそれぞれＵＥ変調器／復調器（ＭＯＤ／ＤＥＭＯＤ）３５４1〜３５４rに与え得る。各ＵＥ変調器／復調器３５４は、入力サンプルを取得するために、それぞれの受信信号を調整（たとえば、フィルタ処理、増幅、ダウンコンバート、およびデジタル化）し得る。各ＵＥ変調器／復調器３５４はさらに、受信シンボルを取得するために、（たとえば、ＯＦＤＭなどのために）入力サンプルを処理し得る。ＵＥ  ＭＩＭＯ検出器３５６が、すべてのＵＥ変調器／復調器３５４1〜３５４rから受信シンボルを取得し、適用可能な場合は受信シンボルに対してＭＩＭＯ検出を実行し、検出シンボルを与え得る。ＵＥ受信プロセッサ３５８は、検出シンボルを処理（たとえば、復調、デインターリーブ、および復号）し、ＵＥ３１５のための復号されたデータをＵＥデータシンク３６０に与え、復号された制御情報をＵＥコントローラ／プロセッサ３８０に与え得る。
【００６９】
[0081]アップリンク上では、ＵＥ３１５において、ＵＥ送信プロセッサ３６４が、ＵＥデータソース３６２から（たとえば、物理アップリンク共有チャネル（ＰＵＳＣＨ：physical uplink shared channel）のための）データを受信し、処理し得、ＵＥコントローラ／プロセッサ３８０から（たとえば、物理アップリンク制御チャネル（ＰＵＣＣＨ：physical uplink control channel）のための）制御情報を受信し、処理し得る。ＵＥ送信プロセッサ３６４はまた、基準信号のための基準シンボルを生成し得る。ＵＥ送信プロセッサ３６４からのシンボルは、適用可能な場合はＵＥ  ＴＸ  ＭＩＭＯプロセッサ３６６によってプリコードされ得、（たとえば、ＳＣ−ＦＤＭなどのために）ＵＥ変調器／復調器３５４1〜３５４rによってさらに処理され得、基地局３１０に送信され得る。基地局３１０において、ＵＥ３１５からのアップリンク信号は、基地局アンテナ３３４によって受信され、基地局変調器／復調器３３２によって処理され、適用可能な場合は基地局ＭＩＭＯ検出器３３６によって検出され、ＵＥ３１５によって送られた復号されたデータと制御情報とを取得するために、基地局受信プロセッサ３３８によってさらに処理され得る。基地局受信プロセッサ３３８は、復号されたデータを基地局データシンク３４６に与え、復号された制御情報を基地局コントローラ／プロセッサ３４０に与え得る。
【００７０】
[0082]基地局コントローラ／プロセッサ３４０およびＵＥコントローラ／プロセッサ３８０は、それぞれ基地局３１０およびＵＥ３１５における動作を指示し得る。基地局３１０における基地局コントローラ／プロセッサ３４０および／または他のプロセッサおよびモジュールは、たとえば、本明細書で説明する技法のための様々なプロセスを実施するか、またはその実行を指示し得る。ＵＥ３１５におけるＵＥコントローラ／プロセッサ３８０および／または他のプロセッサとモジュールはまた、たとえば、図３に示されている１つまたは複数のブロック、および／または本明細書で説明する技法のための他のプロセスを実施するか、またはその実行を指示し得る。基地局メモリ３４２およびＵＥメモリ３８２は、それぞれ基地局３１０およびＵＥ３１５のためのデータおよびプログラムコードを記憶し得る。スケジューラ３４４は、ダウンリンクおよび／またはアップリンク上でのデータ送信のためにＵＥ３１５をスケジュールし得る。
【００７１】
[0083]一例では、基地局３１０は、アップリンク（ＵＬ）送信またはダウンリンク（ＤＬ）送信のうちの少なくとも１つのためのコンパクトなダウンリンク制御情報（ＤＣＩ）を生成するための１つまたは複数のコンポーネントを含み得、ここにおいて、コンパクトなＤＣＩは、いくつかの標準ＤＣＩフォーマットと比較して低減された数のビットと、ＤＣＩを送信するための１つまたは複数のコンポーネントとを備え得る。一態様では、上述の１つまたは複数のコンポーネントは、上述の１つまたは複数のコンポーネントによって具陳された機能を実行するように構成された、基地局コントローラ／プロセッサ３４０、基地局メモリ３４２、基地局送信プロセッサ３２０、基地局変調器／復調器３３２、および／または基地局アンテナ３３４であり得る。別の態様では、上述の１つまたは複数のコンポーネントは、上述の１つまたは複数のコンポーネントによって具陳された機能を実行するように構成されたモジュールまたは任意の装置であり得る。一例では、ＵＥ３１５は、アップリンク（ＵＬ）送信またはダウンリンク（ＤＬ）送信のうちの少なくとも１つのためのコンパクトなダウンリンク制御情報（ＤＣＩ）を受信するための１つまたは複数のコンポーネントを含み得、ここにおいて、ＤＣＩは、低減されたビット数の標準ＤＣＩフォーマットと、ＤＣＩを処理するための１つまたは複数のコンポーネントとを備える。一態様では、上述の１つまたは複数のコンポーネントは、上述の１つまたは複数のコンポーネントによって具陳された機能を実行するように構成された、ＵＥコントローラ／プロセッサ３８０、ＵＥメモリ３８２、ＵＥ受信プロセッサ３５８、ＵＥ  ＭＩＭＯ検出器３５６、ＵＥ変調器／復調器３５４、および／またはＵＥアンテナ３５２であり得る。別の態様では、上述の１つまたは複数のコンポーネントは、上述の１つまたは複数のコンポーネントによって具陳された機能を実行するように構成されたモジュールまたは任意の装置であり得る。
【００７２】
[0084]図４Ａに、本開示の様々な態様による、リソースのインターレース上での（たとえば、データのビットの）送信のために、コードおよび／またはサイクリックシフトを１つまたは複数のＵＥに割り振ることの一例を示す図４００を示す。図４Ａでは、複数のＵＥ（たとえば、その各々が図１のＵＥ１１５に対応し得るＵＥ1〜ＵＥN）が、ライセンスされていない無線周波数スペクトル帯域を使用して、基地局（たとえば、図１の基地局１０５に対応し得るｅノードＢ１）にペイロードを送信するように構成され得る。
【００７３】
[0085]図４Ａに、および参照番号４０２によって示されているように、ＵＥ1は、ｅノードＢ１に、ＵＥ1による送信（たとえば、少量のデータを有する送信）のためにＵＥ1に割り振られるべきアップリンクリソース（たとえば、１つまたは複数のＲＢ）についての要求を与え得る。同様に、参照番号４０４によって示されているように、ＵＥNは、ｅノードＢ１に、ＵＥNによる送信（たとえば、少量のデータを有する送信）のためにＵＥNに割り振られるべきアップリンクリソース（たとえば、１つまたは複数のＲＢ）についての要求を与え得る。
【００７４】
[0086]図４Ａでは、ライセンスされていない無線周波数スペクトル帯域におけるアップリンク送信に関連するサブフレーム（たとえば、１ｍｓサブフレーム）のためのアップリンク構造は、リソースの複数のインターレースの間で分散された複数のアップリンクリソースを含み得る。さらに、ｅノードＢ１は、（本明細書では、リソースの多重化インターレース（a multiplexed interlace of resources）と呼ぶ）複数のＵＥの送信を多重化するためのリソースのインターレースを割り振るように構成され得る。
【００７５】
[0087]参照番号４０６によって示されているように、ｅノードＢ１は、（たとえば、少量のデータを有するＵＥ1送信のサイズに基づいて）、ＵＥ1が、第１のコードおよび／または第１のサイクリックシフトを使用して、リソースの多重化インターレースのうちのアップリンクリソース上でＵＥ1送信を送信すべきであると決定し得、ＵＥ1に、第１のコードおよび／または第１のサイクリックシフトを使用して、リソースの多重化インターレースのうちのアップリンクリソース上でＵＥ1送信を送信するように命令する情報をＵＥ1に与え得る。同様に、参照番号４０８によって示されているように、ｅノードＢ１は、（たとえば、少量のデータを有するＵＥN送信のサイズに基づいて）、ＵＥNが、第２のコードおよび／または第２のサイクリックシフトを使用して、リソースの多重化インターレースのうちのアップリンクリソース上でＵＥN送信を送信すべきであると決定し得、ＵＥNに、第２のコードおよび／または第２のサイクリックシフトを使用して、リソースの多重化インターレースのうちのアップリンクリソース上でＵＥN送信を送信するように命令する情報をＵＥNに与え得る。
【００７６】
[0088]参照番号４１０によって示されているように、ＵＥ1は、ＵＥ1送信に第１のコードおよび／または第１のサイクリックシフトを適用し得、リソースの多重化インターレースのうちのアップリンクリソース上でＵＥ1送信を送信し得る。同様に、参照番号４１２によって示されているように、ＵＥNは、ＵＥN送信に第２のコードおよび／または第２のサイクリックシフトを適用し得、リソースの多重化インターレースのうちのアップリンクリソース上でＵＥN送信を送信し得る。言い換えれば、ＵＥ1およびＵＥNはそれぞれ、割り振られたコードおよび／またはサイクリックシフトを使用して、（たとえば、同じサブフレーム中に）リソースの多重化インターレースのうちのアップリンクリソース上でそれらのそれぞれの送信を送信し得る。このようにして、リソースのインターレースは、（たとえば、アップリンクリソースを効率的に使用するために、複数のＵＥによる電力消費を低減するためになど）複数のＵＥによる少量の情報の送信のために多重化され得る。
【００７７】
[0089]図４Ｂに、本開示の様々な態様による、リソースのインターレースを使用する第１の送信のために、第１のコードおよび／または第１のサイクリックシフトを割り振ることと、リソースのインターレースを使用する第２の送信のために、第２のコードおよび／または第２のサイクリックシフトをＵＥに割り振ることとの一例を示す図４５０を示す。図４Ｂでは、複数のＵＥ（たとえば、図１のＵＥ１１５に対応し得るＵＥ1〜ＵＥN）が、ライセンスされていない無線周波数スペクトル帯域のアップリンクリソースを使用して、基地局（たとえば、図１の基地局１０５に対応し得るｅノードＢ１）に情報を送信するように構成され得る。
【００７８】
[0090]図４Ｂに、および参照番号４１６によって示されているように、ｅノードＢ１は、第１のコードおよび／または第１のサイクリックシフトを、（本明細書では、リソースの多重化インターレースと呼ぶ）複数のＵＥの送信を多重化するためのリソースのインターレースのうちのアップリンクリソース中のチャネル占有情報（たとえば、図４Ｂ中のチャネル使用ビーコン信号「ＣＵＢＳ」）の送信に割り振り得る。いくつかの態様では、チャネル占有情報は、無視、廃棄、削除などされ得る情報を含み得る。参照番号４１８によって示されているように、ＵＥ1は、ｅノードＢ１に、ＵＥ1による送信（たとえば、ＵＥ1送信）のためにＵＥ1に割り振られるべきアップリンクリソースについての要求を与え得る。同様に、参照番号４２０によって示されているように、ＵＥNは、ｅノードＢ１に、ＵＥNによる送信（たとえば、ＵＥN送信）のためにＵＥNに割り振られるべきアップリンクリソースについての要求を与え得る。
【００７９】
[0091]図４Ｂでは、ライセンスされていない無線周波数スペクトル帯域におけるアップリンク送信に関連するサブフレーム（たとえば、１ｍｓサブフレーム）のためのアップリンク構造は、リソースの複数のインターレースの間で分散された複数のアップリンクリソースを含み得る。参照番号４２２によって示されているように、ｅノードＢ１は、ＵＥ1が、第２のコードおよび／または第２のサイクリックシフトを使用して、リソースの多重化インターレースのうちのアップリンクリソースの第１のサブセット上でＵＥ1送信を送信すべきであり、ＵＥ1が、第１のコードおよび／または第１のサイクリックシフトを使用して、リソースの多重化インターレースのうちの他のアップリンクリソース上でＣＵＢＳを送信すべきであると決定し得、それに応じて、ＵＥ1に割振り情報を与え得る。同様に、参照番号４２４によって示されているように、ｅノードＢ１は、ＵＥNが、第３のコードおよび／または第３のサイクリックシフトを使用して、リソースの多重化インターレースのうちのアップリンクリソースの第２のサブセット上でＵＥN送信を送信すべきであり、ＵＥNが、第１のコードおよび／または第１のサイクリックシフトを使用して、リソースの多重化インターレースのうちの他のアップリンクリソース上でＣＵＢＳを送信すべきであると決定し得、それに応じて、ＵＥNに割振り情報を与え得る。
【００８０】
[0092]参照番号４２６によって示されているように、ＵＥ1は、ＵＥ1送信に第２のコードおよび／または第２のサイクリックシフトを適用し得、リソースの多重化インターレースのうちのアップリンクリソースの第１のサブセット中でＵＥ1送信を送信し得る。参照番号４２８によって示されているように、ＵＥ1はまた、第１のコードおよび／または第１のサイクリックシフトを使用して、リソースの多重化インターレースのうちの他のアップリンクリソース中でＣＵＢＳを送信し得る。同様に、参照番号４３０によって示されているように、ＵＥNは、ＵＥN送信に第３のコードおよび／または第３のサイクリックシフトを適用し得、リソースの多重化インターレースのうちのアップリンクリソースの第２のサブセット中でＵＥN送信を送信し得る。参照番号４３２によって示されているように、ＵＥＮはまた、第１のコードおよび／または第１のサイクリックシフトを使用して、リソースの多重化インターレースのうちの他のアップリンクリソース中でＣＵＢＳを送信し得る。
【００８１】
[0093]言い換えれば、ＵＥ1は、第２のコードおよび／または第２のサイクリックシフトを使用して、リソースの第１のサブセット中でＵＥ1送信を送信し得、ＵＥNは、第１のコードおよび／または第１のサイクリックシフトを使用して、リソースの第１のサブセット中でＣＵＢＳを送信し得る。同様に、ＵＥ1は、第１のコードおよび／または第１のサイクリックシフトを使用して、リソースの第２のサブセット中でＣＵＢＳを送信し得、ＵＥNは、第３のコードおよび／または第３のサイクリックシフトを使用して、リソースの第２のサブセット中でＵＥN送信を送信し得る。このようにして、多重化は、（たとえば、アップリンクリソースを効率的に使用するために）複数のＵＥによる情報の送信のために、リソースのインターレースのうちのアップリンクリソースに適用され得る。
【００８２】
[0094]図４Ｃに、本開示の様々な態様による、ライセンスされていない無線周波数スペクトル帯域を占有することに関連する第１の送信のために、リソースの第１のインターレースを割り振ることと、１つまたは複数の基地局による第２の送信のために、リソースの第２のインターレースを割り振ることとの一例を示す図４９０を示す。図４Ｃでは、第１の複数のＵＥ（たとえば、ＵＥ1.1〜ＵＥ1.X）は、地理的エリア中にある第１の基地局（たとえば、ｅノードＢ１）を介して通信していることがあり、第２の複数のＵＥ（たとえば、ＵＥ2.1〜ＵＥ2.Y）は、地理的エリア中にある第２の基地局（たとえば、ｅノードＢ２）を介して通信していることがあり、第３の複数のＵＥ（たとえば、ＵＥ3.1〜ＵＥ3.Z）は、地理的エリア中にある第３の基地局（たとえば、ｅノードＢ３）を介して通信していることがある。さらに、基地局は、ライセンスされていない無線周波数スペクトル帯域のダウンリンクリソースを使用して、それぞれのＵＥに情報を送信するように構成され得る。いくつかの態様では、図４ＣのＵＥはＵＥ１１５に対応し得、図４ＣのｅノードＢは図１を参照しながら説明した基地局１０５に対応し得る。
【００８３】
[0095]参照番号４３４によって示されているように、複数の基地局は、（本明細書では、リソースの占有インターレースと呼ぶ）ライセンスされていない無線周波数スペクトル帯域を占有することに関連する送信のためのリソースのインターレースの割振りを調整させるために通信し得る。参照番号４３８、４４０、および４４２によって示されているように、複数の基地局の間でリソースの占有インターレースを割り振ることに基づいて、基地局の各々は、リソースの占有インターレースのうちのダウンリンクリソース上でチャネル占有情報（たとえば、ＣＵＢＳ）を送信し得る。いくつかの態様では、基地局は、チャネルに関連する帯域幅要件を満たすために、および／またはライセンスされていない無線周波数スペクトル帯域を占有するために、リソースの占有インターレースのうちのダウンリンクリソース上でＣＵＢＳを送信し得る。さらに、基地局は、基地局がリソースの占有インターレースのうちのダウンリンクリソース上でＣＵＢＳを送信するとき、ライセンスされていない無線周波数スペクトル帯域を同時に占有し得る。
【００８４】
[0096]参照番号４３６によって示されているように、基地局は、次いで、基地局による他の送信（たとえば、ＵＥへの送信）のためのリソースの他のインターレースの割振りを調整させるために通信し得る。たとえば、複数の基地局は、リソースのインターレースの第１のセットがｅノードＢ１による送信のために割り振られ、リソースのインターレースの第２のセットがｅノードＢ２による送信のために割り振られ、リソースのインターレースの第３のセットがｅノードＢ３による送信のために割り振られるように通信し得る。いくつかの態様では、リソースの単一のインターレースは、単一の基地局に割り振られ得る。追加または代替として、リソースの単一のインターレースは、２つまたはそれより多い基地局に割り振られ得る。追加または代替として、リソースのインターレースは、どの基地局にも割り振られないことがある。追加または代替として、リソースの複数のインターレースは、単一の基地局に割り振られ得る。
【００８５】
[0097]このようにして、ライセンスされていない無線周波数スペクトル帯域のダウンリンクリソースは、複数の基地局に、ライセンスされていない無線周波数スペクトル帯域のリソースのインターレース中でチャネル占有情報を送信させることと、複数の基地局の間でリソースの他のインターレースを割り振ることとによって、（たとえば、ライセンスされていない無線周波数スペクトル帯域を同時に占有する）複数の基地局によって効率的に使用され得る。
【００８６】
[0098]図５Ａに、本開示の様々な態様による、リソースのインターレース上での送信のために、コードおよび／またはサイクリックシフトを１つまたは複数のＵＥに割り振るための方法５００の一例を示すフローチャートを示す。いくつかの態様では、図５Ａの１つまたは複数のブロックは、図１および／または図２を参照しながら説明した基地局１０５および／または基地局２０５によって実行され得る。いくつかの態様では、図５Ａの１つまたは複数のブロックは、図１を参照しながら説明したＵＥ１１５など、別のデバイス、あるいは基地局１０５とは別個のまたはそれを含む複数のデバイスによって実行され得る。
【００８７】
[0099]図５Ａに示されているように、方法５００は、１つまたは複数のＵＥのペイロードの送信のために割り振られるべきリソースについての要求を受信することを含み得る（ブロック５１０）。たとえば、基地局１０５は、１つまたは複数のＵＥ１１５のペイロードの送信のために割り振られるべきリソースについての要求を受信し得る。いくつかの態様では、基地局１０５は、１つまたは複数のＵＥ１１５が要求を与えた後、要求を受信し得る。
【００８８】
[0100]いくつかの態様では、基地局１０５は、１つまたは複数のＵＥ１１５から要求を受信し得る。たとえば、１つまたは複数のＵＥ１１５のうちの各ＵＥ１１５は、基地局１０５に、ＵＥ１１５によるペイロードの送信のためのリソースの要求についてのバッファステータス報告（ＢＳＲ）を送り得る。いくつかの態様では、ＢＳＲは、ＵＥ１１５によって送信されるべきペイロードのサイズを示す情報を含み得る。いくつかの態様では、基地局１０５は、１つまたは複数のＵＥ１１５に対応する１つまたは複数の要求を受信し得る。
【００８９】
[0101]図５Ａに示されているように、方法５００は、１つまたは複数のＵＥのペイロードのサイズを決定することを含み得る（ブロック５２０）。たとえば、基地局１０５は、１つまたは複数のＵＥ１１５のペイロードのサイズを決定し得る。いくつかの態様では、基地局１０５は、基地局１０５が、１つまたは複数のＵＥ１１５のペイロードの送信のために割り振られるべきリソースについての要求を受信したとき、ペイロードのサイズを決定し得る。
【００９０】
[0102]いくつかの態様では、基地局１０５は、ＵＥ１１５によって与えられた情報に基づいて、ペイロードのサイズを決定し得る。たとえば、上記で説明したように、ＵＥ１１５は、ペイロード（たとえば、ＲＲＣシグナリングメッセージ、アップリンク制御情報（ＵＣＩ）、アプリケーションデータなど、ＰＵＳＣＨ情報を含むペイロード）を基地局１０５に送信することに関連するＢＳＲを与え得る。この例では、ＢＳＲは、ペイロードを送信するために必要とされるビットの量を示す情報など、ペイロードのサイズを識別する情報を含み得る。いくつかの態様では、基地局１０５は、以下で説明するように、ペイロードがアップリンクリソースの単一のインターレース中で多重化されるべきであるかどうかを決定するために、複数のペイロードのサイズを決定し得る。
【００９１】
[0103]図５Ａにさらに示されているように、方法５００は、リソースのインターレース上でペイロードを多重化することに関連するペイロードサイズしきい値を識別することを含み得る（ブロック５３０）。たとえば、基地局１０５は、リソースのインターレース上でペイロードを多重化することに関連するペイロードサイズしきい値を識別し得る。
【００９２】
[0104]リソースのインターレースは、ライセンスされていない無線周波数スペクトル帯域にわたって分散された複数のリソース（たとえば、リソースブロック）を含み得る。図５Ｂに、本開示の様々な態様による、ライセンスされていない無線周波数スペクトル帯域における送信のために使用されるリソースの複数のインターレースを含み得るアップリンク構造５６０の一例を示す図を示す。図５Ｂに示されているように、ライセンスされていない無線周波数スペクトル帯域の帯域幅は、２０ＭＨｚであり得る。ここで、２０ＭＨｚ帯域は、サブフレームごとに（たとえば、１ｍｓサブフレームごとに）１００個のリソース（たとえば、リソースブロックＲＢ０〜ＲＢ９９）に分割され得る。図示のように、この例では、アップリンク構造は、リソースの１０個のインターレース（たとえば、Ｉ０〜Ｉ９）を含み得、リソースの各インターレースは、２０ＭＨｚ帯域幅にわたって分散された１０個のアップリンクリソースを含み得る（たとえば、Ｉ０は、ＲＢ０、ＲＢ１０、ＲＢ９０などを含み得、Ｉ９は、ＲＢ９、ＲＢ１９、ＲＢ９９などを含み得る）。図５Ｂに、本明細書で説明する態様に関連するアップリンク構造の一例を示す。いくつかの態様では、別のおよび／または異なるアップリンク構造が、本明細書で説明する態様に適用され得る（たとえば、リソースの１０個よりも少ないインターレースをもつアップリンク構造、リソースの１０個よりも多いインターレースをもつアップリンク構造、１００個よりも少ないリソースをもつアップリンク構造、１００個よりも多いリソースをもつアップリンク構造、異なる帯域幅のためのアップリンク構造など）。
【００９３】
[0105]図５Ａに戻ると、ペイロードサイズしきい値は、リソースの単一のインターレース上でペイロードを多重化することに関連する最大ペイロードサイズ（たとえば、ビットの量）を識別する情報を含み得る。いくつかの態様では、基地局１０５は、基地局１０５によって記憶されたまたはアクセス可能な情報に基づいて、ペイロードサイズしきい値を識別し得る。いくつかの態様では、基地局１０５は、以下で説明するように、ペイロードサイズしきい値とペイロードのサイズとを比較することに基づいて、ペイロードがインターレースまたはリソース上で多重化されるべきであるかどうかを決定し得る。
【００９４】
[0106]いくつかの態様では、基地局１０５は、ペイロードがその上で多重化され得るリソースのインターレースを識別し得る。たとえば、基地局１０５は、リソースのインターレースがペイロードを多重化するために使用されるべきであることを示す情報を記憶するか、またはその情報へのアクセスを有し得、記憶またはアクセスされた情報に基づいて、リソースのインターレースを識別し得る。別の例として、基地局１０５は、リソースのインターレースが（たとえば、サブフレーム中に）別の送信のために割り振られなかったと決定し得、リソースのインターレースとしてリソースのインターレースを識別し得る。
【００９５】
[0107]いくつかの態様では、基地局１０５は、リソースの単一のインターレース上でペイロードを送信するために使用されるべきであるフォーマット構造を決定し得る。たとえば、ペイロードの送信は、ＰＵＣＣＨフォーマット２を使用してフォーマットされ得る。いくつかの態様では、ペイロードを送信するためのＰＵＣＣＨフォーマット２の使用は、ペイロードの約１００個のビットが、ペイロードを多重化（すなわち、符号分割多重化）するための複数のコードを使用して、６つのＵＥ１１５の各々によってリソースのインターレース上で送信されることを可能にし得る。別の例として、ペイロードの送信は、ＰＵＣＣＨフォーマット３を使用してフォーマットされ得る。いくつかの態様では、ペイロードを送信するためのＰＵＣＣＨフォーマット３の使用は、ペイロードの約２１０個のビットが、ペイロードを多重化するための複数のサイクリックシフトを使用して、４つのＵＥ１１５の各々（またはサウンディング基準信号（ＳＲＳ）が使用されないときは５つのＵＥ１１５の各々）によってリソースの単一のインターレース上で送信されることを可能にし得る。
【００９６】
[0108]図５Ａにさらに示されているように、方法５００は、ペイロードのサイズとペイロードサイズしきい値とに基づいて、ペイロードがリソースのインターレース上で多重化されるべきであると決定することを含み得る（ブロック５４０）。たとえば、基地局１０５は、ペイロードのサイズとペイロードサイズしきい値とに基づいて、ペイロードがリソースのインターレース上で多重化されるべきであると決定し得る。いくつかの態様では、基地局１０５は、基地局１０５がペイロードのサイズを決定した後、ペイロードがリソースのインターレース上で多重化されるべきであると決定し得る。追加または代替として、基地局１０５は、基地局１０５がペイロードサイズしきい値を識別した後、ペイロードがリソースのインターレース上で多重化されるべきであると決定し得る。
【００９７】
[0109]いくつかの態様では、基地局１０５は、ペイロードサイズしきい値に基づいて、ペイロードがリソースのインターレース上で多重化されるべきであると決定し得る。たとえば、基地局１０５は、他のペイロードと多重化され得る最大ペイロードサイズを識別するペイロードサイズしきい値を識別する情報を記憶するか、またはその情報へのアクセスを有し得る。さらに、基地局１０５は、第１のＵＥ１１５によって送信されるべき第１のペイロードの第１のサイズ、第２のＵＥ１１５によって送信されるべき第２のペイロードの第２のサイズ、第３のＵＥ１１５によって送信されるべき第３のペイロードの第３のサイズなどを決定し得る。ここで、基地局１０５は、第１のサイズとペイロードサイズしきい値とを比較し得、ペイロードサイズしきい値が満たされない（たとえば、第１のペイロードのサイズが、リソースのインターレース上でペイロードを多重化するための最大ペイロードサイズよりも小さいかまたはそれに等しい）と決定し得る。同様に、基地局１０５は、第２のサイズとペイロードサイズしきい値とを比較し得、ペイロードサイズしきい値が第２のペイロードサイズによって満たされないと決定し得る。しかしながら、基地局１０５は、第３のサイズとペイロードサイズしきい値とを比較し得、ペイロードサイズしきい値が満たされる（たとえば、第３のペイロードのサイズが、リソースのインターレース上でペイロードを多重化するための最大ペイロードサイズよりも大きい）と決定し得る。ここで、基地局１０５は、第１のペイロードおよび第２のペイロード（たとえば、およびペイロードサイズしきい値を満たさないサイズをもつ他のペイロード）が、リソースのインターレース上で多重化されるべきであると決定し得る。さらに、基地局１０５は、第３のペイロードがリソースのインターレース上で多重化されるべきでないと決定し得る。いくつかの態様では、基地局１０５は、（たとえば、ペイロードが、リソースの他のインターレース上で送信されるペイロードのみであるように）リソースのインターレース上で多重化されるべきでないペイロードに、リソースの別のインターレースを割り振り得る。
【００９８】
[0110]いくつかの態様では、基地局１０５は、ペイロードがリソースの複数のインターレース上で多重化されるべきであると決定し得る。たとえば、基地局１０５は、ペイロードの複数のサイズのうちの各サイズが、ペイロードしきい値を満たさない、およびペイロードの総サイズが、最大総ペイロードサイズ（たとえば、リソースのインターレース上で多重化され得る最大総ペイロードサイズ）よりも大きいと決定し得る。この例では、基地局１０５は、ペイロードがその上で多重化されるべきであるリソースの２つのより多くのインターレースを識別し得る。別の例として、基地局１０５は、（たとえば、基地局１０５が、７つのＵＥ１１５のためのペイロードのサイズを決定し、６つのコードおよび／またはサイクリックシフトのみが、ペイロードを多重化するために利用可能であるとき）ペイロードがそれのために多重化され得るＵＥ１１５の最大量を超える量のＵＥを含む複数のＵＥ１１５のためのペイロードサイズを決定し得る。この例では、基地局１０５は、ペイロードがその上で多重化されるべきであるリソースの２つのより多くのインターレースを識別し得る。
【００９９】
[0111]図５Ａにさらに示されているように、方法５００は、リソースのインターレース上でペイロードを送信するために、コードおよび／またはサイクリックシフトを１つまたは複数のＵＥに割り振ることを含み得る（ブロック５５０）。たとえば、基地局１０５は、リソースのインターレース上でペイロードを送信するために、コードおよび／またはサイクリックシフトを１つまたは複数のＵＥ１１５に割り振り得る。いくつかの態様では、基地局１０５は、ペイロードがリソースのインターレース上で多重化されるべきであると基地局１０５が決定した後、コードおよび／またはサイクリックシフトを１つまたは複数のＵＥ１１５に割り振り得る。
【０１００】
[0112]いくつかの態様では、基地局１０５は、ペイロードの送信のために、異なるコードおよび／または異なるサイクリックシフトを各ＵＥ１１５に割り振り得る。たとえば、基地局１０５は、第１のＵＥ１１５のための第１のペイロードと、第２のＵＥ１１５のための第２のペイロードと、第３のＵＥ１１５のための第３のペイロードとが、リソースのインターレース上で多重化されるべきであると決定し得る。この例では、基地局１０５は、第１のコードおよび／または第１のサイクリックシフトを第１のＵＥ１１５に割り振り、第２のコードおよび／または第２のサイクリックシフトを第２のＵＥ１１５に割り振り、第３のコードおよび／または第３のサイクリックシフトを第３のＵＥ１１５に割り振り得る。このようにして、各ＵＥ１１５は、リソースのインターレース上でペイロードを多重化するために、異なるコードおよび／または異なるサイクリックシフトを割り振られ得る。
【０１０１】
[0113]いくつかの態様では、基地局１０５は、ペイロードの送信のために、コードをＵＥ１１５に割り振り得る。たとえば、基地局１０５は、リソースの単一のインターレースのうちのリソースが、ＰＵＣＣＨフォーマット３を使用してフォーマットされるべきであるとき、（たとえば、符号分割多重化のために）複数のウォルシュコードなど、複数のコードをＵＥ１１５に割り振り得る。追加または代替として、基地局１０５は、ペイロードの送信のために、サイクリックシフトをＵＥ１１５に割り振り得る。たとえば、基地局１０５は、リソースの単一のインターレースのうちのリソースが、ＰＵＣＣＨフォーマット２を使用してフォーマットされるべきであるとき、複数のサイクリックシフトをＵＥ１１５に割り振り得る。
【０１０２】
[0114]いくつかの態様では、基地局１０５は、複数のコードおよび／または複数のサイクリックシフトを単一のＵＥ１１５に割り振り得る。たとえば、基地局１０５は、第１のＵＥ１１５によって送信されるべき第１のペイロードの第１のサイズに基づいて、基地局１０５が２つのコードを第１のＵＥ１１５に割り振るべきであると決定し得、基地局１０５は、第１のコードと第２のコードとを第１のＵＥ１１５に割り振り得る（たとえば、一方、基地局１０５は、第２のサイズの第２のペイロードの送信のために、ただ１つのコードを第２のＵＥ１１５に割り振り得る）。
【０１０３】
[0115]いくつかの態様では、基地局１０５は、ＵＥ１１５に、割り振られたコードおよび／または割り振られたサイクリックシフトに関連する情報を与え得る。たとえば、基地局１０５は、ＵＥ１１５に、リソースのインターレースを識別する情報、アップリンクリソース中でペイロードを送信するために使用されるべきフォーマット（たとえば、ＰＵＣＣＨフォーマット２、ＰＵＣＣＨフォーマット３など）を識別する情報、ＵＥ１１５に割り振られたコードおよび／またはサイクリックシフトを識別する情報、ならびに／あるいは別のタイプの情報を含む、アップリンク許可のためのダウンリンク制御情報を与え得る。いくつかの態様では、基地局１０５は、ＲＲＣメッセージを使用して、リソースのインターレースを識別する情報、リソース中でペイロードを送信するために使用されるべきフォーマットを識別する情報、ならびに／あるいはＵＥ１１５に割り振られたコードおよび／またはサイクリックシフトを識別する情報を与え得る。このようにして、基地局１０５は、リソースのインターレース上でのペイロードの多重化のために、１つまたは複数のコードおよび／またはサイクリックシフトを各ＵＥ１１５に割り振り得る。
【０１０４】
[0116]いくつかの態様では、ＵＥ１１５によって送信されているペイロードのサイズにより、低減された量の巡回冗長検査（ＣＲＣ）ビットがペイロードにアタッチされ得る。たとえば、いくつかの態様では、ＵＥ１１５は、２４ビットよりも少ない量のＣＲＣビットをアタッチし得る。いくつかの態様では、ペイロードを送信することに関連するトランスポートブロックサイズ（ＴＢＳ）が、変調およびコーディング方式（ＭＣＳ）と、ＵＥ１１５に割り振られた、コードの総量および／またはサイクリックシフトの総量とに基づいて決定され得る。たとえば、ＰＵＣＣＨフォーマット３の場合、ペイロードを送信するためのＴＢＳは、ＭＣＳ、リソースのインターレース中のリソースの量、コードおよび／またはサイクリックシフトの総量、ならびに／あるいはＵＥ１１５の量に基づいて決定され得る。
【０１０５】
[0117]図５Ａは方法５００の例示的なブロックを示しているが、いくつかの態様では、方法５００は、追加のブロック、より少ないブロック、異なるブロック、または図５Ａに示されているものとは別様に構成されたブロックを含み得る。追加または代替として、方法５００のブロックのうちの２つまたはそれより多くが並列に実行され得る。
【０１０６】
[0118]図６Ａおよび図６Ｂに、本開示の様々な態様による、図５Ａに示されている方法の例に関係する一例を示す図６００を示す。図６Ａおよび図６Ｂは、リソースの単一のインターレース上でペイロードを送信するために、コードおよび／またはサイクリックシフトを１つまたは複数のＵＥに割り振ることの一例を示す。例６００では、複数のＵＥ１１５（たとえば、ＵＥ1およびＵＥ2）は、ライセンスされていない無線周波数スペクトル帯域のアップリンクリソースを使用して、基地局１０５（たとえば、ｅＮＢ１）にペイロード（たとえば、ＰＵＳＣＨペイロード）を送信するように構成され得る。
【０１０７】
[0119]図６Ａに、および参照番号６０２によって示されているように、ＵＥ1は、ｅＮＢ１に、ＵＥ1ＰＵＳＣＨペイロードの送信のためにＵＥ1に割り振られるべきアップリンクリソースについてのスケジューリング要求を与え得る。図示のように、ＵＥ1スケジューリング要求は、ＵＥ1ＰＵＳＣＨペイロードのサイズが３０ビットであることを示す情報を含み得る。同様に、参照番号６０４によって示されているように、ＵＥ2は、ｅＮＢ１に、ＵＥ2ＰＵＳＣＨペイロードの送信のためにＵＥ2に割り振られるべきアップリンクリソースについてのスケジューリング要求を与え得る。図示のように、ＵＥ2スケジューリング要求は、ＵＥ2ペイロードのサイズが４５ビットであることを示す情報を含み得る。
【０１０８】
[0120]例６００では、（たとえば、２０ＭＨｚの帯域幅をもつ）ライセンスされていない無線周波数スペクトル帯域におけるアップリンク送信に関連するサブフレーム（たとえば、１ｍｓサブフレーム）のためのアップリンク構造は、リソースの複数のインターレース（たとえば、Ｉ０〜Ｉ９）の間で分散された複数のアップリンクリソースを含み得る。
【０１０９】
[0121]参照番号６０６によって示されているように、ｅＮＢ１は、ライセンスされていない無線周波数スペクトル帯域のリソースの単一のインターレース上でペイロードを多重化することに関連するペイロードサイズしきい値（たとえば、５０ビット）を決定し得る。参照番号６０８によって示されているように、ｅＮＢ１は、ＵＥ1ＰＵＳＣＨペイロードのサイズとペイロードサイズしきい値とを比較し得、（たとえば、３０ビットは５０ビット以下であるので）ＵＥ1ＰＵＳＣＨペイロードが、Ｉ２として識別されたリソースのインターレース上で多重化されるべきであると決定し得る（たとえば、ｅＮＢ１は、Ｉ２がＰＵＳＣＨペイロードの多重化のために使用されるべきであることを示す情報を記憶するか、またはその情報へのアクセスを有し得る）。参照番号６１０によって示されているように、ＵＥ1ＰＵＳＣＨペイロードがＩ２上で多重化されるべきであると決定することに基づいて、ｅＮＢ１は、ＵＥ1ＰＵＳＣＨペイロードの送信のために、第１のコード（たとえば、ウォルシュ（１））をＵＥ1に割り振り得る（たとえば、ｅＮＢ１は、ＰＵＣＣＨフォーマット３がＩ２上での多重化のために使用されるべきであると決定し得る）。
【０１１０】
[0122]参照番号６１２によって示されているように、ｅＮＢ１は、ＵＥ2ＰＵＳＣＨペイロードのサイズとペイロードサイズしきい値とを比較し得、（たとえば、４５ビットは５０ビット以下であるので）ＵＥ2ＰＵＳＣＨペイロードがＩ２上で多重化されるべきであると決定し得る。参照番号６１４によって示されているように、ＵＥ2ＰＵＳＣＨペイロードがＩ２上で多重化されるべきであると決定することに基づいて、ｅＮＢ１は、ＵＥ2ＰＵＳＣＨペイロードの送信のために、第２のコード（たとえば、ウォルシュ（２））をＵＥ2に割り振り得る。
【０１１１】
[0123]参照番号６１６によって示されているように、ｅＮＢ１は、ＵＥ1に、ＵＥ1が、ウォルシュ（１）を使用してＰＵＣＣＨフォーマット３でＩ２上でＵＥ1ＰＵＳＣＨペイロードを送信すべきであることを示す情報を与え得る。参照番号６１８によって示されているように、ｅＮＢ１は、ＵＥ2に、ＵＥ2が、ウォルシュ（２）を使用してＰＵＣＣＨフォーマット３でＩ２上でＵＥ2ＰＵＳＣＨペイロードを送信すべきであることを示す情報を与え得る。
【０１１２】
[0124]図６Ｂの上側部分に、および参照番号６２０によって示されているように、ＵＥ1は、ＵＥ1ＰＵＳＣＨペイロードにウォルシュ（１）を適用し得、ＰＵＣＣＨフォーマット３でＩ２のアップリンクリソース上でコード化ＵＥ1ＰＵＳＣＨペイロードを送信し得る。同様に、参照番号６２２によって示されているように、ＵＥ2は、ＵＥ2ＰＵＳＣＨペイロードにウォルシュ（２）を適用し得、ＰＵＣＣＨフォーマット３でＩ２のアップリンクリソース上でコード化ＵＥ2ＰＵＳＣＨペイロードを送信し得る。
【０１１３】
[0125]このようにして、図６Ｂの下側部分によって、および参照番号６２４によって示されているように、ＵＥ1およびＵＥ2はそれぞれ、（たとえば、リソースブロック２、リソースブロック１２、リソースブロック９２など中で）Ｉ２のアップリンクリソース上でそれぞれのコード化ＰＵＳＣＨペイロードを送信し得る。このようにして、多重化は、複数のＵＥによる小さいペイロードの送信のために、リソースのインターレースのうちのアップリンクリソースに適用され得る。
【０１１４】
[0126]上記のように、図６Ａおよび図６Ｂは、一例として与えられているにすぎない。他の例が、可能であり、図６Ａおよび図６Ｂに関して説明したものとは異なり得る。
【０１１５】
[0127]図７に、本開示の様々な態様による、リソースのインターレースを使用する送信のために、異なるコードおよび／または異なるサイクリックシフトを複数のＵＥに割り振るための方法７００の一例を示すフローチャートを示す。いくつかの態様では、図７の１つまたは複数のブロックは、図１を参照しながら説明した基地局１０５によって実行され得る。いくつかの態様では、図７の１つまたは複数のブロックは、図１を参照しながら説明したＵＥ１１５など、別のデバイス、あるいは基地局１０５とは別個のまたはそれを含む複数のデバイスによって実行され得る。
【０１１６】
[0128]図７に示されているように、方法７００は、リソースのインターレースを使用する第１の送信のために第１のコードおよび／または第１のサイクリックシフトを決定することを含み得る（ブロック７１０）。たとえば、基地局１０５は、リソースのインターレースを使用する第１の送信のために第１のコードおよび／または第１のサイクリックシフトを決定し得る。いくつかの態様では、基地局１０５は、基地局１０５が、第１の送信のために第１のコードおよび／または第１のサイクリックシフトを決定するための指示を受信したとき、第１の送信のために第１のコードおよび／または第１のサイクリックシフトを決定し得る。
【０１１７】
[0129]いくつかの態様では、第１の送信はチャネル占有送信であり得る。チャネル占有送信は、（本明細書では、チャネル占有情報と呼ぶ）情報を受信する装置によって無視、廃棄、削除などされ得る情報を含む送信を含み得る。いくつかの態様では、ＵＥ１１５は、リソースのインターレースを含むライセンスされていない無線周波数スペクトル帯域を占有することに関連する帯域幅要件を満たすために、リソースのインターレースを使用して、チャネル占有情報を送信し得る。
【０１１８】
[0130]いくつかの態様では、基地局１０５は、基地局１０５によって記憶されたまたはアクセス可能な情報に基づいて、第１の送信（たとえば、チャネル占有送信）のために第１のコードおよび／または第１のサイクリックシフトを割り振り得る。たとえば、基地局１０５は、ＵＥ１１５による制御情報（たとえば、ＰＵＣＣＨフォーマット２を使用するＰＵＣＣＨ情報）の送信を多重化するために利用可能であり得る複数のサイクリックシフト（たとえば、サイクリックシフト０〜サイクリックシフト６）を識別する情報を記憶するか、またはその情報にアクセスし得る。ここで、基地局１０５は、ＵＥ１１５によるチャネル占有送信のために複数のサイクリックシフトのうちのサイクリックシフト（たとえば、サイクリックシフト０）を割り振り得る。この例では、以下で説明するように、複数のサイクリックシフトのうちの他のサイクリックシフト（たとえば、サイクリックシフト１〜サイクリックシフト６）が、リソースのインターレースを使用する送信のためにＵＥ１１５に割り振られ得る。いくつかの態様では、基地局１０５は、（たとえば、リソースのインターレースのうちのリソースが、上記で説明したように、ＰＵＣＣＨフォーマット２を使用してフォーマットされるべきであるとき）第１の送信のためにサイクリックシフトを割り振り得る。追加または代替として、基地局１０５は、（たとえば、リソースのインターレースのうちのリソースが、上記で説明したように、ＰＵＣＣＨフォーマット３を使用してフォーマットされるべきであるとき）第１の送信のためにコードを割り振り得る。
【０１１９】
[0131]図７にさらに示されているように、方法７００は、リソースのインターレースを使用するＵＥによる第２の送信のために割り振られるべきリソースについての要求を受信することを含み得る（ブロック７２０）。たとえば、基地局１０５は、リソースのインターレースを使用するＵＥ１１５による第２の送信のために割り振られるべきリソースについての要求を受信し得る。いくつかの態様では、基地局１０５は、ＵＥ１１５が要求を与えた後、要求を受信し得る。
【０１２０】
[0132]いくつかの態様では、基地局は、ＵＥ１１５から要求を受信し得る。たとえば、ＵＥ１１５は、基地局１０５に、ＵＥ１１５による情報の送信のためのリソースの要求についてのＢＳＲを送り得る。いくつかの態様では、ＢＳＲは、ＵＥ１１５によって送信されるべきペイロードのサイズを示す情報を含み得る。いくつかの態様では、基地局１０５は、１つまたは複数のＵＥ１１５に対応する１つまたは複数の要求を受信し得る。
【０１２１】
[0133]図７にさらに示されているように、方法７００は、リソースのインターレースを使用する第２の送信のために、第２のコードおよび／または第２のサイクリックシフトをＵＥに割り振ることを含み得る（ブロック７３０）。たとえば、基地局１０５は、リソースのインターレースを使用する第２の送信のために、第２のコードおよび／または第２のサイクリックシフトをＵＥ１１５に割り振り得る。いくつかの態様では、基地局１０５は、基地局１０５が、リソースのインターレースを使用する第１の送信のために、第１のコードおよび／または第１のサイクリックシフトを割り振った後、第２のコードおよび／または第２のサイクリックシフトをＵＥ１１５に割り振り得る。追加または代替として、基地局１０５は、基地局１０５が、ＵＥ１１５による第２の送信のために割り振られるべきリソースについての要求を受信したとき（たとえば、ＵＥ１１５が、制御情報の送信のために割り振られるべきリソースを要求したとき）、第２のコードおよび／または第２のサイクリックシフトをＵＥ１１５に割り振り得る。
【０１２２】
[0134]いくつかの態様では、基地局１０５は、基地局１０５によって記憶されたまたはアクセス可能な情報に基づいて、第２のコードおよび／または第２のサイクリックシフトを割り振り得る。たとえば、基地局１０５は、ＵＥ１１５による（たとえば、ＰＵＣＣＨフォーマット２を使用する）制御情報の送信を多重化するために利用可能であり得る複数のサイクリックシフト（たとえば、サイクリックシフト０〜サイクリックシフト６）を識別する情報を記憶するか、またはその情報にアクセスし得る。基地局１０５はまた、ＵＥ１１５による第１の送信（たとえば、チャネル占有送信）のために割り振られた、複数のサイクリックシフトのうちの第１のサイクリックシフト（たとえば、サイクリックシフト０）を識別する情報を記憶するか、またはその情報にアクセスし得る。ここで、基地局１０５は、ＵＥ１１５による制御情報の送信のために複数のサイクリックシフトのうちの第２のサイクリックシフト（たとえば、サイクリックシフト１）を割り振り得る。
【０１２３】
[0135]図７にさらに示されているように、プロセス７００は、リソースのインターレースを使用する第２の送信のために、リソースのインターレースのうちのリソースのサブセットを割り振ることを含み得る（ブロック７４０）。たとえば、基地局１０５は、リソースのインターレースを使用する第２の送信のために、リソースのインターレースのうちのリソースのサブセットを割り振り得る。
【０１２４】
[0136]いくつかの態様では、基地局１０５は、リソースのインターレースを使用する複数の第２の送信のために、リソースのインターレースのうちのリソースの複数のサブセットを複数のＵＥ１１５に割り振り得る。たとえば、リソースのインターレースは、１０個のリソース（たとえば、ＲＢ０〜ＲＢ９として識別される１０個のリソースブロック）を含み得、基地局１０５は、リソースのインターレース上でのＵＥ１１５による（たとえば、チャネル占有情報の）第１の送信のために、第１のサイクリックシフト（たとえば、サイクリックシフト０）を割り振り得、基地局１０５は、リソースのインターレース上での制御情報の送信のために、第２のサイクリックシフト（たとえば、サイクリックシフト１）を第１のＵＥ１１５に割り振り得、基地局１０５は、リソースのインターレース上での制御情報の送信のために、第３のサイクリックシフト（たとえば、サイクリックシフト２）を第２のＵＥに割り振り得る。
【０１２５】
[0137]この例では、基地局１０５は、制御情報の送信のために、リソースのインターレースのうちのリソースの第１のサブセット（たとえば、ＲＢ０およびＲＢ１）を第１のＵＥに割り振り得、制御情報の送信のために、リソースのインターレースのうちのリソースの第２のサブセット（たとえば、ＲＢ２、ＲＢ３、およびＲＢ４）を第２のＵＥに割り振り得る。いくつかの態様では、リソースのサブセットの割振りは、（たとえば、ＵＥ１１５が基地局１０５によってリソースの異なるサブセットを割り当てられるまで、ＵＥ１１５が、割り当てられたリソース上で制御情報を送信し得るような）半静的であり得る。
【０１２６】
[0138]いくつかの態様では、基地局１０５は、（たとえば、ＰＵＣＣＨ情報などの制御情報ではなく）ＰＵＳＣＨペイロードなど、ペイロードの送信のために、第２のコードおよび／または第２のサイクリックシフトおよび／またはリソースのサブセットを割り振り得る。たとえば、基地局１０５は、ＵＥ１１５がペイロードを送信すべきであるという指示を受信し得、複数のコードおよび／またはサイクリックシフトのうちのコードおよび／またはサイクリックシフトは、複数のＵＥ１１５による制御情報の送信のために割り振られないことがある。ここで、基地局１０５は、ペイロードの送信のために、コードおよび／またはサイクリックシフトをＵＥ１１５に割り振り得る。基地局１０５は、アップリンク許可においてＵＥ１１５に、ＵＥがリソースのインターレース中でペイロードを送信すべきであることを示す情報（たとえば、ＵＥ１１５がリソースのインターレース中でペイロードを送信すべきであることを示す情報、ペイロードの送信のために使用されるべきコードおよび／またはサイクリックシフトを識別する情報など）を与え得る。このようにして、いくつかの態様では、ペイロードの送信は、制御情報の送信と多重化され得る。
【０１２７】
[0139]図７にさらに示されているように、方法７００は、第２のコードおよび／または第２のサイクリックシフトを使用してリソースのサブセット中で第２の送信を与え、第１のコードおよび／または第１のサイクリックシフトを使用して他のリソース中で第１の送信を与えるようにＵＥに命令することを含み得る（ブロック７５０）。たとえば、基地局１０５は、第２のコードおよび／または第２のサイクリックシフトを使用してリソースのサブセット中で第２の送信を与え、第１のコードおよび／または第１のサイクリックシフトを使用して他のリソース中で第１の送信を与えるようにＵＥ１１５に命令し得る。
【０１２８】
[0140]いくつかの態様では、基地局１０５は、第１のコードおよび／または第１のサイクリックシフト、第２のコードおよび／または第２のサイクリックシフトに関連する情報、ならびに／あるいはリソースの割り振られたサブセットに関連する情報をＵＥ１１５に与えることによって、ＵＥ１１５に命令し得る。上記の例を続けると、および基地局１０５からそのような情報を受信したことに基づいて、第１のＵＥ１１５は、第２のサイクリックシフト（たとえば、サイクリックシフト１）を使用してリソースの第１のサブセット（たとえば、ＲＢ０およびＲＢ１）中で制御情報を送信し得、第１のサイクリックシフト（たとえば、サイクリックシフト０）を使用してリソースのインターレースのうちの他のリソース（たとえば、ＲＢ２〜ＲＢ９）中でチャネル占有情報を送信し得る。同様に、第２のＵＥ１１５は、第３のサイクリックシフト（たとえば、サイクリックシフト２）を使用してリソースの第２のサブセット（たとえば、ＲＢ２、ＲＢ３、およびＲＢ４）中で制御情報を送信し得、第１のサイクリックシフト（たとえば、サイクリックシフト０）を使用してリソースのインターレースのうちの他のリソース（たとえば、ＲＢ０、ＲＢ１、およびＲＢ５〜ＲＢ９）中でチャネル占有情報を送信し得る。したがって、いくつかの態様では、周波数分割多重化が、制御情報の送信のために割り振られたコードおよび／またはサイクリックシフトを使用して、割り当てられたリソース中のみで制御情報を送信することによって、ＵＥ１１５間で達成され得る。その上、いくつかの態様では、ライセンスされていない無線周波数スペクトル帯域を占有することに関連する帯域幅要件が、チャネル占有送信のために割り振られたコードおよび／またはサイクリックシフトを使用して、リソースのインターレースのうちの割り振られていないリソース中でチャネル占有情報を送信することによって満たされ得る。
【０１２９】
[0141]図７は方法７００の例示的なブロックを示しているが、いくつかの態様では、方法７００は、追加のブロック、より少ないブロック、異なるブロック、または図７に示されているものとは別様に構成されたブロックを含み得る。追加または代替として、方法７００のブロックのうちの２つまたはそれより多くが並列に実行され得る。
【０１３０】
[0142]図８Ａおよび図８Ｂに、本開示の様々な態様による、図７に示されている方法の例に関係する一例を示す図８００を示す。図８Ａおよび図８Ｂは、リソースのインターレースを使用する第１の送信のために、第１のコードおよび／またはサイクリックシフトを決定することと、リソースのインターレースを使用する別の送信のために、第２のコードおよび／または第２のサイクリックシフトをＵＥ１１５に割り振ることとの一例を示す。例８００では、複数のＵＥ（たとえば、ＵＥ1およびＵＥ2）は、ライセンスされていない無線周波数スペクトル帯域のアップリンクリソースを使用して、基地局（たとえば、ｅＮＢ１）にＰＵＣＣＨ情報を送信するように構成され得る。
【０１３１】
[0143]図８Ａに、および参照番号８０２によって示されているように、ＵＥ1は、ｅＮＢ１に、ＵＥ1ＰＵＣＣＨ情報の送信のためにＵＥ1に割り振られるべきアップリンクリソースについてのスケジューリング要求を与え得る。同様に、参照番号８０４によって示されているように、ＵＥ2は、ｅＮＢ１に、ＵＥ2ＰＵＣＣＨ情報の送信のためにＵＥ2に割り振られるべきアップリンクリソースについてのスケジューリング要求を与え得る。
【０１３２】
[0144]例８００では、（たとえば、２０ＭＨｚの帯域幅をもつ）ライセンスされていない無線周波数スペクトル帯域におけるアップリンク送信に関連するサブフレーム（たとえば、１ｍｓサブフレーム）のためのアップリンク構造は、リソースの複数のインターレース（たとえば、Ｉ０〜Ｉ９）の間で分散された複数のアップリンクリソースを含み得る。さらに、ｅＮＢ１は、リソースのインターレースＩ１が、複数のＵＥによるＰＵＣＣＨ情報の送信のために使用されるべきである、およびＰＵＣＣＨフォーマット２が、Ｉ１上での多重化のために使用されるべきであると決定し得る。
【０１３３】
[0145]参照番号８０６によって示されているように、ｅＮＢ１は、（たとえば、ＵＥ1スケジューリング要求とＵＥ2スケジューリング要求とを受信したことに基づいて）Ｉ１上でのチャネル占有情報（たとえば、図８Ａおよび図８Ｂ中のＣＵＢＳ）の送信のために、第１のサイクリックシフト（ＰＵＣＣＨフォーマット２がＩ１上で使用されるべきであるので、サイクリックシフト０）を割り振り得る。いくつかの態様では、ｅＮＢ１は、複数のＵＥが、ライセンスされていない無線周波数スペクトル帯域に関連する帯域幅要件を満たすことを可能にするために、ＣＵＢＳの送信のためにサイクリックシフト０を割り振り得る。
【０１３４】
[0146]参照番号８０８によって示されているように、ｅＮＢ１は、ＵＥ1によるＵＥ1ＰＵＣＣＨ情報の送信のために、第２のサイクリックシフト（たとえば、サイクリックシフト１）を割り振り得る。さらに示されているように、ｅＮＢ１はまた、（たとえば、ＵＥ1ＰＵＣＣＨ情報のサイズに基づいて、ＵＥ1に関連する情報に基づいてなど）Ｉ１上でのＵＥ1ＰＵＣＣＨ情報の送信のために、Ｉ１のリソースの第１のサブセット（たとえば、ＲＢ１、ＲＢ１１、およびＲＢ２１）をＵＥ１に割り当て得る。参照番号８１０によって示されているように、ｅＮＢ１は、ＵＥ2ＰＵＣＣＨ情報の送信のために、第３のサイクリックシフト（たとえば、サイクリックシフト２）を割り振り得る。さらに示されているように、ｅＮＢ１はまた、（たとえば、ＵＥ2ＰＵＣＣＨ情報のサイズに基づいて、ＵＥ2に関連する情報に基づいてなど）Ｉ１上でのＵＥ2ＰＵＣＣＨ情報の送信のために、Ｉ１のリソースの第２のサブセット（たとえば、ＲＢ３１およびＲＢ４１）をＵＥ2に割り当て得る。
【０１３５】
[0147]参照番号８１２によって示されているように、ｅＮＢ１は、ＵＥ1に、ＵＥ1が、サイクリックシフト１を使用してＰＵＣＣＨフォーマット２でＩ１のＲＢ１、ＲＢ１１、およびＲＢ２１上でＵＥ1ＰＵＣＣＨ情報を送信すべきであることを示す情報と、ＵＥ1が、サイクリックシフト０を使用してＩ１の他のＲＢ上でＣＵＢＳを送信すべきであることを示す情報とを与え得る。参照番号８１４によって示されているように、ｅＮＢ１は、ＵＥ2に、ＵＥ2が、サイクリックシフト２使用してＰＵＣＣＨフォーマット２でＩ１のＲＢ３１およびＲＢ４１上でＵＥ2ＰＵＣＣＨ情報を送信すべきであることを示す情報と、ＵＥ2が、サイクリックシフト０を使用してＩ１の他のＲＢ上でＣＵＢＳを送信すべきであることを示す情報とを与え得る。
【０１３６】
[0148]図８Ｂに、および参照番号８１６によって示されているように、ＵＥ1は、ＵＥ1ＰＵＣＣＨ情報にサイクリックシフト１を適用し得、Ｉ１のＲＢ１、ＲＢ１１、およびＲＢ２１中で、シフトされたＵＥ1ＰＵＣＣＨ情報を送信し得、サイクリックシフト０を使用してＩ１の他のＲＢ（たとえば、ＲＢ３１、ＲＢ４１、ＲＢ５１、ＲＢ６１、ＲＢ７１、ＲＢ８１、およびＲＢ９１）上でＣＵＢＳを送信し得る。同様に、参照番号８１８によって示されているように、ＵＥ2は、ＵＥ2ＰＵＣＣＨ情報にサイクリックシフト２を適用し得、Ｉ１のＲＢ３１およびＲＢ４１中で、シフトされたＵＥ2ＰＵＣＣＨ情報を送信し得、サイクリックシフト０を使用してＩ１の他のＲＢ（たとえば、ＲＢ１、ＲＢ１１、ＲＢ２１、ＲＢ５１、ＲＢ６１、ＲＢ７１、ＲＢ８１、およびＲＢ９１）上でＣＵＢＳを送信し得る。
【０１３７】
[0149]このようにして、図８Ｂの下側部分によって、ならびに参照番号８２０、８２２、および８２４によって示されているように、ＵＥ1は、（たとえば、サイクリックシフト１を使用して）Ｉ１のＲＢ１、ＲＢ１１、およびＲＢ２１上でＵＥ1ＰＵＣＣＨ情報を送信し得、ＵＥ2は、（たとえば、サイクリックシフト０を使用して）Ｉ１のＲＢ１、ＲＢ１１、およびＲＢ２１上でＣＵＢＳを送信し得る。参照番号８２６および参照番号８２８によって示されているように、ＵＥ1は、（たとえば、サイクリックシフト０を使用して）Ｉ１のＲＢ３１およびＲＢ４１上でＣＵＢＳを送信し得、ＵＥ2は、（たとえば、サイクリックシフト２を使用して）Ｉ１のＲＢ３１およびＲＢ４１上でＵＥ2ＰＵＣＣＨ情報を送信し得る。図８Ｂに示されているように、ＵＥ1とＵＥ2の両方は、（たとえば、サイクリックシフト０を使用して）Ｉ１の他のＲＢ（たとえば、ＲＢ５１、ＲＢ６１、ＲＢ７１、ＲＢ８１、およびＲＢ９１）上でＣＵＢＳを送信し得る。このようにして、ＵＥ1およびＵＥ2は両方とも、Ｉ１の対応する割り当てられたアップリンクリソース上でそれぞれのＰＵＣＣＨ情報を送信し得、Ｉ１の対応する割り当てられていないアップリンクリソース中でＣＵＢＳを送信し得る。したがって、リソースのインターレースは、各ＵＥが、ライセンスされていない無線周波数スペクトル帯域を占有することに関連する帯域幅要件を満たすことを可能にしながら、複数のＵＥによるＰＵＣＣＨ情報の送信のために多重化され得る。
【０１３８】
[0150]上記のように、図８Ａおよび図８Ｂは、一例として与えられているにすぎない。他の例が、可能であり、図８Ａおよび図８Ｂに関して説明したものとは異なり得る。
【０１３９】
[0151]図９は、本開示の様々な態様による、ライセンスされていない無線周波数スペクトル帯域を占有することに関連する送信と、基地局による送信とのために、リソースの異なるインターレースを割り振るための方法９００の一例を示すフローチャートである。いくつかの態様では、図９の１つまたは複数のブロックは、図１を参照しながら説明した１つまたは複数の基地局１０５によって実行され得る。いくつかの態様では、図９の１つまたは複数のブロックは、図１を参照しながら説明したＵＥ１１５など、別のデバイス、あるいは１つまたは複数の基地局１０５とは別個のまたはそれを含む複数のデバイスによって実行され得る。
【０１４０】
[0152]図９に示されているように、方法９００は、ライセンスされていない無線周波数スペクトル帯域を占有することに関連する送信のために、リソースのインターレースを割り振ることを含み得る（ブロック９１０）。たとえば、１つまたは複数の基地局１０５は、ライセンスされていない無線周波数スペクトル帯域を占有することに関連する送信のために、リソースのインターレースを割り振り得る。いくつかの態様では、１つまたは複数の基地局１０５は、以下で説明するように、１つまたは複数の基地局１０５が互いと通信するとき、ライセンスされていない無線周波数スペクトル帯域を占有することに関連する送信のために、リソースのインターレースを割り振り得る。
【０１４１】
[0153]いくつかの態様では、ライセンスされていない無線周波数スペクトル帯域を占有することに関連する送信は、チャネル使用ビーコン信号（ＣＵＢＳ）の形態のチャネル占有情報であり得る。いくつかの態様では、ＣＵＢＳは、ライセンスされていない無線周波数スペクトル帯域上で検出可能なエネルギーを与えることによって、基地局１０５による使用のために、ライセンスされていない無線周波数スペクトル帯域を予約し得る。追加または代替として、ＣＵＢＳはまた、送信装置（たとえば、基地局１０５）を識別するように働き、および／または送信装置と受信装置（たとえば、ＵＥ１１５）とを同期させるように働き得る。追加または代替として、ＣＵＢＳは、他の装置（たとえば、基地局１０５、ＵＥ１１５、Ｗｉ−Ｆｉアクセスポイント１３５、Ｗｉ−Ｆｉ局１４０など）に、基地局１０５がチャネルを予約したという指示を与えるように働き得る。いくつかの態様では、ＣＵＢＳは、ＬＴＥ／ＬＴＥ−Ａセル固有基準信号（ＣＲＳ）またはチャネル状態情報基準信号（ＣＳＩ−ＲＳ）の形態と同様の形態であり得る。いくつかの態様では、ＣＵＢＳ送信は、ライセンスされていない無線周波数スペクトル帯域の利用可能な周波数帯域幅の少なくともある割合を占有するように、および／または規制要件（たとえば、ライセンスされていない無線周波数スペクトル帯域上での送信が帯域幅の少なくとも８０％を占有するという要件）を満たすように働き得る。
【０１４２】
[0154]いくつかの態様では、基地局１０５は、ライセンスされていない無線周波数スペクトル帯域を占有することに関連する送信のために、リソースのインターレースを割り振るために、（たとえば、基地局１０５に地理的に近接している）１つまたは複数の他の基地局１０５と通信し得る。たとえば、第１の基地局１０５は、ライセンスされていない無線周波数スペクトル帯域を占有することに関連する送信のために、リソースのインターレースとして、ライセンスされていない無線周波数スペクトル帯域におけるリソースの複数のインターレースのうちのリソースのインターレースを割り振るために、（たとえば、ワイヤレスネットワークのバックホール部分を介して）第２の基地局１０５、第３の基地局１０５などと通信し得る。ここで、１つまたは複数の基地局１０５は、各基地局１０５に、リソースの割り振られたインターレースを識別する情報を与えるために通信し得る。
【０１４３】
[0155]図９にさらに示されているように、方法９００は、ライセンスされていない無線周波数スペクトル帯域を占有することに関連するリソースのインターレースを使用して送信することを含み得る（ブロック９２０）。たとえば、１つまたは複数の基地局１０５は、ライセンスされていない無線周波数スペクトル帯域を占有することに関連するリソースのインターレースを使用して送信し得る。いくつかの態様では、１つまたは複数の基地局１０５は、１つまたは複数の基地局１０５が、ライセンスされていない無線周波数スペクトル帯域を占有することに関連するリソースのインターレースを割り振った後、ライセンスされていない無線周波数スペクトル帯域を占有することに関連するリソースのインターレースを使用して送信し得る。
【０１４４】
[0156]いくつかの態様では、１つまたは複数の基地局１０５は、ライセンスされていない無線周波数スペクトル帯域を占有することに関連する送信のために、リソースのインターレース上でチャネル占有情報を送信し得る。たとえば、各基地局１０５は、リソースのインターレース上で、チャネル占有情報（たとえば、ＵＥ１１５および／または他の基地局１１５によって無視、廃棄、削除などされ得る情報）を含むＣＵＢＳを送信し得る。このようにして、１つまたは複数の基地局１０５は、リソースの同じインターレースを使用して、ライセンスされていない無線周波数スペクトル帯域を同時に占有し得る。
【０１４５】
[0157]図９にさらに示されているように、方法９００は、基地局による他の送信のために、リソースの他のインターレースを割り振ることを含み得る（ブロック９３０）。たとえば、１つまたは複数の基地局１０５は、１つまたは複数の基地局１０５による他の送信のために、リソースの他のインターレースを割り振り得る。いくつかの態様では、１つまたは複数の基地局１０５は、１つまたは複数の基地局１０５が、ライセンスされていない無線周波数スペクトル帯域を占有することに関連する送信のために、リソースのインターレースを割り振るとき（たとえば、それの後に、それの前に、それと同時になど）、リソースの他のインターレースを割り振り得る。追加または代替として、１つまたは複数の基地局１０５は、１つまたは複数の基地局１０５が、他の送信のために、リソースの他のインターレースを割り振るべきであるという指示を１つまたは複数の基地局１０５が受信したとき、他の送信のために、リソースの他のインターレースを割り振り得る。
【０１４６】
[0158]いくつかの態様では、別の送信は、１つまたは複数の基地局１０５のうちの基地局１０５から１つまたは複数のＵＥ１１５への送信であり得る。いくつかの態様では、１つまたは複数の基地局１０５は、リソースの他のインターレースを基地局１１５に割り振り得る。たとえば、ライセンスされていない無線周波数スペクトル帯域は、リソースの複数のインターレースを含み得、１つまたは複数の基地局１０５は、ライセンスされていない無線周波数スペクトル帯域を占有することに関連する送信のために、リソースの第１のインターレースを割り振り得る。この例では、１つまたは複数の基地局１０５は、リソースの複数のインターレースのうちのリソースの第２のインターレースを、１つまたは複数の基地局１０５のうちの第１の基地局１０５に割り振り、リソースの複数のインターレースのうちのリソースの第３のインターレースを、１つまたは複数の基地局１０５のうちの第２の基地局１０５に割り振るために通信し得る。
【０１４７】
[0159]この例では、１つまたは複数の基地局１０５は、リソースの第１のインターレースが、ライセンスされていない無線周波数スペクトル帯域を占有することに関連する送信のために割り振られたと決定し得、リソースの第２のインターレースが、どの基地局１０５にも割り振られなかったと決定し得、リソースの第２のインターレースを第１の基地局１０５に割り振り得る。同様に、１つまたは複数の基地局１０５は、リソースの第１のインターレースが、ライセンスされていない無線周波数スペクトル帯域を占有することに関連する送信のために割り振られたと決定し得、リソースの第２のインターレースが、第１の基地局１０５に割り振られたと決定し得、リソースの第３のインターレースが、どの基地局１０５にも割り振られなかったと決定し得、リソースの第３のインターレースを第２の基地局１０５に割り振り得る。いくつかの態様では、上記の例において説明したように、地理的に近接している基地局１０５によるＵＥ１１５への送信間で、周波数分割多重化が達成され得る。
【０１４８】
[0160]追加または代替として、地理的に近接している基地局１０５によるＵＥ１１５への送信間で、時分割多重化が達成され得る。たとえば、１つまたは複数の基地局１０５は、（たとえば、第１のサブフレームに関連する）ある時間期間中の第１の基地局１０５による送信のために、リソースの他のインターレースを割り振り得、（たとえば、第２のサブフレームに関連する）別の時間期間中の第２の基地局１０５による送信のために、リソースの他のインターレースを割り振り得る。
【０１４９】
[0161]いくつかの態様では、１つまたは複数の基地局１０５は、上記の例において説明したように、リソースのインターレースを基地局１０５に割り振り得る。追加または代替として、１つまたは複数の基地局１０５は、リソースのインターレースを複数の基地局１０５に割り振り得る。追加または代替として、１つまたは複数の基地局１０５は、リソースの複数の他のインターレースを基地局１０５に割り振り得る。
【０１５０】
[0162]いくつかの態様では、１つまたは複数の基地局１０５は、他の送信のために、ライセンスされていない無線周波数スペクトル帯域に関連する複数のリソースを割り振り得る。たとえば、１つまたは複数の基地局１０５は、基地局１０５による別の送信のために、サブフレームに関連する複数のリソース（たとえば、複数のリソースブロック）を割り振り得る。言い換えれば、いくつかの態様では、１つまたは複数の基地局１０５は、別の送信のために、リソースのインターレース全体を割り振るのではなく、別の送信のために、複数のリソースを割り振り得る。
【０１５１】
[0163]図９にさらに示されているように、方法９００は、リソースの割り振られたインターレースを使用して、他の送信を送信することを含み得る（ブロック９４０）。たとえば、１つまたは複数の基地局１０５は、リソースの割り振られたインターレースを使用してそれぞれの他の送信を使用して送信し得る。いくつかの態様では、１つまたは複数の基地局１０５は、１つまたは複数の基地局１０５が、他の送信のために、リソースの他のインターレースを割り振った後、割り振られたインターレースを使用して送信し得る。
【０１５２】
[0164]いくつかの態様では、１つまたは複数の基地局１０５は、リソースの割り振られたインターレースのうちのダウンリンクリソース上で、および／またはリソースの割り振られたインターレース中に含まれるダウンリンクリソースのサブセット上で送信し得る（たとえば、ここで、ダウンリンクリソースのサブセット中のリソースの量は、基地局１０５によって送信されるべき情報のサイズに依存する）。
【０１５３】
[0165]いくつかの態様では、基地局１０５は、（たとえば、１つまたは複数の基地局１０５が、他の送信のために、リソースの他のインターレースを割り振った後）ライセンスされていない無線周波数スペクトル帯域を占有することに関連するリソースのインターレース上でチャネル占有情報を送信することと同時に、リソースの他のインターレース上で送信し得る。このようにして、１つまたは複数の基地局１０５は、ライセンスされていない無線周波数スペクトル帯域を同時に占有し得、ＵＥ１１５への送信間で干渉を生じることなしに、（たとえば、リソースの割り振られた他のインターレース上で）ＵＥ１１５に送信し得る。
【０１５４】
[0166]図９は方法９００の例示的なブロックを示しているが、いくつかの態様では、方法９００は、追加のブロック、より少ないブロック、異なるブロック、または図９に示されているものとは別様に構成されたブロックを含み得る。追加または代替として、方法９００のブロックのうちの２つまたはそれより多くが並列に実行され得る。
【０１５５】
[0167]図１０Ａおよび図１０Ｂに、本開示の様々な態様による、図９に示されている方法の例に関係する例を示す図１０００および図１０５０を示す。図１０Ａおよび図１０Ｂは、ライセンスされていない無線周波数スペクトル帯域を占有することに関連する第１の送信のために、リソースの第１のインターレースを割り振ることと、図１を参照しながら説明した基地局１０５による第２の送信のために、リソースの第２のインターレースを割り振ることとの一例を示す。
【０１５６】
[0168]図１０Ａおよび図１０Ｂでは、（たとえば、ＵＥ1.1およびＵＥ1.2を含む）第１の複数のＵＥ１１５は、地理的エリア中にある第１の基地局１０５（たとえば、ｅＮＢ１）を介して通信していることがあり、（たとえば、ＵＥ2.1を含む）第２の複数のＵＥ１１５は、地理的エリア中にある第２の基地局１０５（たとえば、ｅＮＢ２）を介して通信していることがあり、第３の複数のＵＥ１１５（たとえば、ＵＥ3.1およびＵＥ3.2）は、地理的エリア中にある第３の基地局１０５（たとえば、ｅＮＢ３）を介して通信していることがある。さらに、ｅＮＢ１、ｅＮＢ２、およびｅＮＢ３は、ライセンスされていない無線周波数スペクトル帯域中に含まれるダウンリンクリソースを使用して、それぞれのＵＥに情報を送信するように構成され得る。
【０１５７】
[0169]参照番号１００２によって示されているように、ｅＮＢ１、ｅＮＢ２、およびｅＮＢ３は、ライセンスされていない無線周波数スペクトル帯域を占有することに関連するチャネル占有情報（たとえば、ＣＵＢＳ）の送信のために、リソースのインターレース（たとえば、Ｉ３）（本明細書では、リソースのＣＵＢＳインターレースと呼ぶ）を割り振るために通信し得る。リソースのＣＵＢＳインターレースとしてＩ３を割り振ることに基づいて、ｅＮＢの各々は、Ｉ３のダウンリンクリソース上でチャネル占有情報を送信し得る。いくつかの態様では、ｅＮＢは、ライセンスされていない無線周波数スペクトル帯域に関連する帯域幅要件を満たすために、および／またはライセンスされていない無線周波数スペクトル帯域を占有するために、リソースのＣＵＢＳインターレースのうちのダウンリンクリソース上でチャネル占有情報を送信し得る。さらに、ｅＮＢは、ｅＮＢがＩ３のダウンリンクリソース上でチャネル占有情報を送信するとき、ライセンスされていない無線周波数スペクトル帯域を同時に占有し得る。
【０１５８】
[0170]参照番号１００４によって示されているように、ｅＮＢは、次いで、ｅＮＢによる他の情報の送信のために、リソースの他のインターレース（たとえば、Ｉ０、Ｉ１、Ｉ２、およびＩ４〜Ｉ９）を割り振るために通信し得る。たとえば、図示のように、ｅＮＢは、リソースの第１の複数のインターレース（たとえば、Ｉ０およびＩ７）がｅＮＢ１による送信のために割り振られ、リソースの第２の複数のインターレース（たとえば、Ｉ４）がｅＮＢ２による送信のために割り振られ、リソースの第３の複数のインターレース（たとえば、Ｉ２およびＩ６）がｅＮＢ３による送信のために割り振られるように通信し得る。（もしあれば）リソースの各インターレースの割振りが、参照番号１００６によって示されている。図示のように、リソースの１つまたは複数のインターレース（たとえば、Ｉ１、Ｉ５、Ｉ８、およびＩ９）が、どのｅＮＢにもまだ割り振られていないことがある。
【０１５９】
[0171]図１０Ｂに、および参照番号１００８によって示されているように、ｅＮＢ１は、リソースのインターレースの割振りに基づいて、それぞれ、Ｉ０およびＩ７上でＵＥ1.1およびＵＥ1.2に情報を送信し得、Ｉ３上でＣＵＢＳを送信し得る。参照番号１０１０によって示されているように、ｅＮＢ２は、リソースのインターレースの割振りに基づいて、Ｉ４上でＵＥ2.1に情報を送信し得、Ｉ３上でＣＵＢＳを送信し得る。参照番号１０１２によって示されているように、ｅＮＢ３は、リソースのインターレースの割振りに基づいて、それぞれ、Ｉ２およびＩ６上でＵＥ3.1およびＵＥ3.2に情報を送信し得、Ｉ３上でＣＵＢＳを送信し得る。このようにして、ライセンスされていない無線周波数スペクトル帯域のダウンリンクリソースは、複数の基地局に、ライセンスされていない無線周波数スペクトル帯域のリソースのインターレース中でチャネル占有情報を送信させることと、複数の基地局の間でリソースの他のインターレースを割り振ることとによって、（たとえば、ライセンスされていない無線周波数スペクトル帯域を同時に占有する）複数の基地局によって効率的に使用され得る。
【０１６０】
[0172]上記のように、図１０Ａおよび図１０Ｂは、一例として与えられているにすぎない。他の例が、可能であり、図１０Ａおよび図１０Ｂに関して説明したものとは異なり得る。
【０１６１】
[0173]本明細書で説明する本開示の態様は、複数のＵＥが、リソースの単一のインターレースのうちのアップリンクリソース中で情報を同時に送信し得るように、リソースの単一のインターレース上での情報の多重化を可能にすることによって、複数のＵＥが、ライセンスされていない無線周波数スペクトル帯域のリソースの単一のインターレース中に含まれるリソースを効率的に使用することを可能にし得る。このようにして、複数のＵＥの電力消費も低減され得る。
【０１６２】
[0174]本明細書で説明する本開示の態様は、同じく、または代替的に、複数の基地局に、ライセンスされていない無線周波数スペクトル帯域を占有することに関連するリソースのインターレース中でチャネル占有情報を送信させることと、複数の基地局の間でリソースの他のインターレースを割り振ることとによって、（たとえば、ライセンスされていない無線周波数スペクトル帯域を同時に占有する）複数の基地局によってライセンスされていない無線周波数スペクトル帯域のリソースが効率的に使用されることを可能にし得る。
【０１６３】
[0175]いくつかの態様では、方法５００、７００、および／または９００に関連する技法は、ライセンスされていない無線周波数スペクトル帯域における送信（たとえば、アップリンクおよび／またはダウンリンク送信）を管理するために組み合わせられ得る。さらに、いくつかの態様が、タイプ情報の送信（たとえば、方法５００のコンテキストにおけるペイロードの送信、方法７００のコンテキストにおける制御情報の送信など）のコンテキストにおいて説明され得るが、そのような態様は、１つまたは複数の他のタイプの情報の送信（たとえば、方法５００のコンテキストにおける制御情報の送信、方法７００のコンテキストにおけるペイロードの送信など）にも適用され得る。
【０１６４】
[0176]上記の開示は、例示および説明を与えるが、網羅的なものでもなく、開示された厳密な形態に態様を限定するものでもない。修正および変形が、上記の開示に照らして可能であるか、または態様の実施から得られ得る。
【０１６５】
[0177]本明細書で使用するコンポーネントという用語は、ハードウェア、ファームウェア、および／またはハードウェアとソフトウェアの組合せとして広く解釈されるものとする。本明細書で使用するプロセッサという用語は、プロセッサ（たとえば、中央処理ユニット（ＣＰＵ）、グラフィックス処理ユニット（ＧＰＵ）、アクセラレーテッド処理ユニット（ＡＰＵ）など）、マイクロプロセッサ、ならびに／あるいは命令を解釈および／または実行する任意の処理コンポーネント（たとえば、フィールドプログラマブルゲートアレイ（ＦＰＧＡ）、特定用途向け集積回路（ＡＳＩＣ）など）を含み得る。いくつかの態様では、そのようなプロセッサは、ハードウェア、ファームウェア、またはハードウェアとソフトウェアの組合せで実装され得る。
【０１６６】
[0178]本細書では、いくつかの態様についてしきい値に関して説明した。本明細書で使用するしきい値を満たすことは、値が、しきい値よりも大きいこと、しきい値よりも多いこと、しきい値よりも高いこと、しきい値よりも大きいかまたはそれに等しいこと、しきい値よりも小さいこと、しきい値よりも少ないこと、しきい値よりも低いこと、しきい値よりも小さいかまたはそれに等しいこと、しきい値に等しいことなどを指すことがある。
【０１６７】
[0179]本明細書で説明する技法は、ハードウェア、ファームウェア、またはハードウェアとソフトウェアの組合せの異なる形態で実装され得ることが明らかであろう。これらの技法を実装するために使用される実際の専用制御ハードウェアまたはソフトウェアコードは、態様の限定ではない。したがって、本明細書では、技法の動作および挙動について、特定のソフトウェアコードと無関係に説明しており、ソフトウェアおよびハードウェアは、本明細書での説明に基づいて技法を実装するように設計され得ることが理解される。
【０１６８】
[0180]特徴の組合せが特許請求の範囲において具陳されおよび／または本明細書で開示されたが、これらの組合せは、可能な態様の開示を限定するものではない。実際、これらの特徴の多くは、詳細には、特許請求の範囲において具陳されずおよび／または本明細書で開示されない方法で、組み合わせられ得る。以下に記載される各従属請求項は、ただ１つの請求項に直接従属し得るが、可能な態様の開示は、特許請求の範囲中のあらゆる他の請求項と組み合わせた各従属請求項を含む。
【０１６９】
[0181]本明細書で使用するいかなる要素、行為、または命令も、明示的にそのように説明されない限り、重要または必須と解釈されるべきではない。また、本明細書で使用する冠詞「ａ」および「ａｎ」は、１つまたは複数の項目を含むものであり、「１つまたは複数」と互換的に使用され得る。さらに、本明細書で使用する「セット」という用語は、１つまたは複数の項目（たとえば、関係する項目、無関係の項目、関係する項目と無関係の項目の組合せなど）を含むものであり、「１つまたは複数」と互換的に使用され得る。ただ１つの項目が意図される場合、「１つ（one）」という用語または同様の言い回しが使用される。また、本明細書で使用する「有する（has）」、「有する（have）」「有する（having）」などという用語は、オープンエンド用語であるものとする。さらに、「に基づく」という句は、別段に明記されていない限り、「に少なくとも部分的に基づく」を意味するものである。
【図１】
2020171045.tif 000003
【図２】
2020171045.tif 000004
【図３】
2020171045.tif 000005
【図４Ａ】
2020171045.tif 000006
【図４Ｂ】
2020171045.tif 000007
【図４Ｃ】
2020171045.tif 000008
【図５Ａ】
2020171045.tif 000009
【図５Ｂ】
2020171045.tif 000010
【図６Ａ】
2020171045.tif 000011
【図６Ｂ】
2020171045.tif 000012
【図７】
2020171045.tif 000013
【図８Ａ】
2020171045.tif 000014
【図８Ｂ】
2020171045.tif 000015
【図９】
2020171045.tif 000016
【図１０Ａ】
2020171045.tif 000017
【図１０Ｂ】
2020171045.tif 000018
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザ機器（ＵＥ）から基地局に、第１のペイロードを送信するためにアップリンクリソースについてのスケジューリング要求を送信すること、ここにおいて、前記スケジューリング要求は、前記第１のペイロードのサイズを示す、と、
前記基地局から、リソースの単一のインターレース上で前記第１のペイロードを送信するために、１つまたは複数のコードまたは１つまたは複数のサイクリックシフトの割り振りの指示を受信すること、ここにおいて、前記割り振りは、前記第１のペイロードが前記単一のインターレース上で第２のＵＥの第２のペイロードと多重化されるべきかどうかに少なくとも部分的に基づく、と、
前記基地局に、前記１つまたは複数のコードまたは前記１つまたは複数のサイクリックシフトに従って前記リソースの単一のインターレース上で前記第１のペイロードを送信することと
を備える、方法。
【請求項２】
前記第１のペイロードを送信するために前記１つまたは複数のコードまたは前記１つまたは複数のサイクリックシフトを受信することは、
第１の送信中で前記第１のペイロードおよび第２の送信中で１つまたは複数の追加のペイロードを送信するために、少なくとも２つのコードまたはサイクリックシフトを受信することを備え、前記少なくとも２つのコードまたはサイクリックシフトのうちの第１のコードまたはサイクリックシフトは、前記第１の送信のために使用され、前記少なくとも２つのコードまたはサイクリックシフトのうちの第２のコードまたはサイクリックシフトは、前記第２の送信のために使用される、
請求項１に記載の方法。
【請求項３】
前記第１のペイロードおよび前記１つまたは複数の追加のペイロードは、前記１つまたは複数のコードのうちの少なくとも２つのコードを使用して、前記単一のインターレース上で符号分割多重化されるか、あるいは１つまたは複数のサイクリックシフトのうちの少なくとも２つのサイクリックシフトを使用して、前記リソースの単一のインターレース上で多重化される、
請求項２に記載の方法。
【請求項４】
前記リソースの単一のインターレースは、前記第１のＵＥが、前記１つまたは複数のコードまたは前記１つまたは複数のサイクリックシフトのうちの少なくとも１つを使用して、前記リソースの単一のインターレース中のビットを送信することを可能にするように構造化された複数のアップリンクリソースを備える、
請求項１に記載の方法。
【請求項５】
前記１つまたは複数のコードは、１つまたは複数のウォルシュコードである、
請求項１に記載の方法。
【請求項６】
前記リソースの単一のインターレースは、物理アップリンク制御チャネル（ＰＵＣＣＨ）フォーマット２を使用して構造化された複数のアップリンクリソースを備える、
請求項１に記載の方法。
【請求項７】
前記リソースの単一のインターレースは、物理アップリンク制御チャネル（ＰＵＣＣＨ）フォーマット３を使用して構造化された複数のアップリンクリソースを備える、
請求項１に記載の方法。
【請求項８】
前記基地局から、無線リソース制御（ＲＲＣ）信号またはダウンリンク許可を介して、前記リソースの単一のインターレース上で前記第１のペイロードを送信する命令を受信することを備える、
請求項１に記載の方法。
【請求項９】
前記リソースの単一のインターレースは、ロングタームエボリューション（ＬＴＥ）ネットワークと関連するチャネル中にまたはライセンスされていないチャネル中に含まれる、
請求項１に記載の方法。
【請求項１０】
前記第１のペイロードの前記サイズは、ペイロードサイズしきい値よりも小さい、
請求項１に記載の方法。
【請求項１１】
ワイヤレス通信のための装置であって、
プロセッサと、
前記プロセッサと電子通信しているメモリと、
前記メモリに記憶された命令と
を備え、前記命令は、前記装置に、
第１のユーザ機器（ＵＥ）から基地局に、第１のペイロードを送信するためにアップリンクリソースについてのスケジューリング要求を送信すること、ここにおいて、前記スケジューリング要求は、前記第１のペイロードのサイズを示す、と、
前記基地局から、リソースの単一のインターレース上で前記第１のペイロードを送信するために、１つまたは複数のコード、または１つまたは複数のサイクリックシフトの割り振りの指示を受信すること、ここにおいて、前記割り振りは、前記第１のペイロードが前記リソースの単一のインターレース上で第２のＵＥの第２のペイロードと多重化されるべきかどうかに少なくとも部分的に基づく、と、
前記基地局に、前記１つまたは複数のコードまたは前記１つまたは複数のサイクリックシフトに従って前記リソースの単一のインターレース上で前記第１のペイロードを送信することと
を行わせるように前記プロセッサによって実行可能である、装置。
【請求項１２】
前記第１のペイロードを送信するために前記１つまたは複数のコードまたは前記１つまたは複数のサイクリックシフトを受信するための命令は、前記装置に、
第１の送信中で前記第１のペイロードおよび第２の送信中で１つまたは複数の追加のペイロードを送信するために、少なくとも２つのコードまたはサイクリックシフトを受信することを行わせるように前記プロセッサによって実行可能であり、前記少なくとも２つのコードまたはサイクリックシフトのうちの第１のコードまたはサイクリックシフトは、前記第１の送信のために使用され、前記少なくとも２つのコードまたはサイクリックシフトのうちの第２のコードまたはサイクリックシフトは、前記第２の送信のために使用される、
請求項１１に記載の装置。
【請求項１３】
前記第１のペイロードおよび前記１つまたは複数の追加のペイロードは、前記１つまたは複数のコードのうちの少なくとも２つのコードを使用して、前記単一のインターレース上で符号分割多重化されるか、あるいは１つまたは複数のサイクリックシフトのうちの少なくとも２つのサイクリックシフトを使用して、前記リソースの単一のインターレース上で多重化される、
請求項１２に記載の装置。
【請求項１４】
前記リソースの単一のインターレースは、前記第１のＵＥが、前記１つまたは複数のコードまたは前記１つまたは複数のサイクリックシフトのうちの少なくとも１つを使用して、前記リソースの単一のインターレース中のビットを送信することを可能にするように構造化された複数のアップリンクリソースを備える、
請求項１１記載の装置。
【請求項１５】
前記１つまたは複数のコードは、１つまたは複数のウォルシュコードである、
請求項１１に記載の装置。
【請求項１６】
前記リソースの単一のインターレースは、物理アップリンク制御チャネル（ＰＵＣＣＨ）フォーマット２、ＰＵＣＣＨフォーマット３、またはそれらの組合せを使用して構造化された複数のアップリンクリソースを備える、
請求項１１に記載の装置。
【請求項１７】
前記命令は、前記装置に、
前記基地局から、無線リソース制御（ＲＲＣ）信号またはダウンリンク許可を介して、前記リソースの単一のインターレース上で前記第１のペイロードを送信する命令を受信することを行わせる前記プロセッサによってさらに実行可能である、
請求項１１に記載の装置。
【手続補正２】
【補正対象書類名】明細書
【補正対象項目名】０１６９
【補正方法】変更
【補正の内容】
【０１６９】
[0181]本明細書で使用するいかなる要素、行為、または命令も、明示的にそのように説明されない限り、重要または必須と解釈されるべきではない。また、本明細書で使用する冠詞「ａ」および「ａｎ」は、１つまたは複数の項目を含むものであり、「１つまたは複数」と互換的に使用され得る。さらに、本明細書で使用する「セット」という用語は、１つまたは複数の項目（たとえば、関係する項目、無関係の項目、関係する項目と無関係の項目の組合せなど）を含むものであり、「１つまたは複数」と互換的に使用され得る。ただ１つの項目が意図される場合、「１つ（one）」という用語または同様の言い回しが使用される。また、本明細書で使用する「有する（has）」、「有する（have）」「有する（having）」などという用語は、オープンエンド用語であるものとする。さらに、「に基づく」という句は、別段に明記されていない限り、「に少なくとも部分的に基づく」を意味するものである。
以下に、本願出願の当初の特許請求の範囲に記載された発明を付記する。
［Ｃ１］
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を備える、ワイヤレス通信のための方法。
［Ｃ２］
前記ペイロードの前記サイズに基づいて、前記ペイロードを多重化すべきかどうかを決定することは、
前記ペイロードの前記サイズが、ペイロードサイズしきい値を満たすかどうかを決定すること
を含む、［Ｃ１］に記載の方法。
［Ｃ３］
前記１つまたは複数のコードあるいは前記１つまたは複数のサイクリックシフトのうちの前記少なくとも１つを前記１つまたは複数のＵＥに割り振ることが、
少なくとも２つのコードまたはサイクリックシフトを使用して、対応するペイロードを送信するために、少なくとも２つのコードまたはサイクリックシフトを前記１つまたは複数のＵＥのうちの単一のＵＥに割り振ること
を含む、［Ｃ１］に記載の方法。
［Ｃ４］
前記ペイロードが、前記１つまたは複数のコードのうちの少なくとも２つのコードを使用して、リソースの前記単一のインターレース上で符号分割多重化される、［Ｃ１］に記載の方法。
［Ｃ５］
前記ペイロードが、前記１つまたは複数のサイクリックシフトのうちの少なくとも２つのサイクリックシフトを使用して、リソースの前記単一のインターレース上で多重化される、［Ｃ１］に記載の方法。
［Ｃ６］
リソースの前記単一のインターレースは、前記１つまたは複数のＵＥのうちの各ＵＥが、前記１つまたは複数のコードあるいは前記１つまたは複数のサイクリックシフトのうちの前記少なくとも１つを使用して、リソースの前記単一のインターレース中でビットを送信することを可能にするように構造化された複数のアップリンクリソースを備える、［Ｃ１］に記載の方法。
［Ｃ７］
前記１つまたは複数のコードが、１つまたは複数のウォルシュコードである、［Ｃ１］に記載の方法。
［Ｃ８］
変調およびコーディング方式（ＭＣＳ）と、前記１つまたは複数のコードあるいは前記１つまたは複数のサイクリックシフトのうちの前記少なくとも１つの総量とに基づいて、トランスポートブロックサイズ（ＴＢＳ）を決定すること
をさらに備える、［Ｃ１］に記載の方法。
［Ｃ９］
リソースの前記単一のインターレースが、物理アップリンク制御チャネル（ＰＵＣＣＨ）フォーマット２を使用して構造化された複数のアップリンクリソースを備える、［Ｃ１］に記載の方法。
［Ｃ１０］
リソースの前記単一のインターレースが、物理アップリンク制御チャネル（ＰＵＣＣＨ）フォーマット３を使用して構造化された複数のアップリンクリソースを備える、［Ｃ１］に記載の方法。
［Ｃ１１］
前記１つまたは複数のコードあるいは前記１つまたは複数のサイクリックシフトのうちの前記少なくとも１つを前記１つまたは複数のＵＥに割り振ることが、
前記１つまたは複数のＵＥに、無線リソース制御（ＲＲＣ）信号を使用して、リソースの前記単一のインターレース上で前記ペイロードを送信するように命令すること
を備える、［Ｃ１］に記載の方法。
［Ｃ１２］
前記１つまたは複数のコードあるいは前記１つまたは複数のサイクリックシフトのうちの前記少なくとも１つを前記１つまたは複数のＵＥに割り振ることが、
前記１つまたは複数のＵＥに、ダウンリンク許可を使用して、リソースの前記単一のインターレース上で前記ペイロードを送信するように命令すること
を備える、［Ｃ１］に記載の方法。
［Ｃ１３］
前記ペイロードのうちのあるペイロードを送信することに関連する巡回冗長検査（ＣＲＣ）情報が、２４ビットよりも少ないビットの量を含む、［Ｃ１］に記載の方法。
［Ｃ１４］
リソースの前記単一のインターレースが、ライセンスされていないスペクトルのチャネル中に含まれる、［Ｃ１］に記載の方法。
［Ｃ１５］
第１の送信のために使用される第１のコードまたは第１のサイクリックシフトを決定することと、ここにおいて、前記第１の送信が、リソースのインターレースを使用して送信され、
第２の送信のために、複数の第２のコードまたは複数の第２のサイクリックシフトを１つまたは複数のユーザ機器（ＵＥ）に割り振ることと、ここにおいて、前記第２の送信が、リソースの前記インターレース上で前記第１の送信と多重化され、
を備える、ワイヤレス通信のための方法。
［Ｃ１６］
前記第２の送信のために、前記複数の第２のコードまたは前記複数の第２のサイクリックシフトを前記１つまたは複数のＵＥに割り振ることが、
前記１つまたは複数のＵＥのうちのＵＥに、リソースの前記インターレース中に含まれるアップリンクリソース上で、物理アップリンク制御チャネル（ＰＵＣＣＨ）情報を送信するように、または物理アップリンク共有チャネル（ＰＵＳＣＨ）を送信するように命令すること
を備える、［Ｃ１５］に記載の方法。
［Ｃ１７］
リソースの前記インターレース上でのチャネル占有情報の送信のために、前記第１のコードまたは前記第１のサイクリックシフトを割り振ることと、
前記１つまたは複数のＵＥに、前記第１のコードまたは前記第１のサイクリックシフトを使用して、リソースの前記インターレース上で前記チャネル占有情報を送信するように命令することと
をさらに備える、［Ｃ１５］に記載の方法。
［Ｃ１８］
前記１つまたは複数のＵＥのうちのＵＥに、リソースの前記インターレースのうちのアップリンクリソースの第１のサブセット上でチャネル占有情報を送信するように命令することと、
情報の送信のために、リソースの前記インターレースのうちのアップリンクリソースの第２のサブセットを前記ＵＥに割り振ることと、
をさらに備え、
アップリンクリソースの前記第１のサブセットが、アップリンクリソースの前記第２のサブセットとは異なる、［Ｃ１５］に記載の方法。
［Ｃ１９］
前記ＵＥに、アップリンクリソースの前記第１のサブセット上で前記チャネル占有情報を送信するように命令することが、
前記ＵＥに、前記第１のコードまたは前記第１のサイクリックシフトを使用して、アップリンクリソースの前記第１のサブセット上で前記チャネル占有情報を送信するように命令すること
を備える、［Ｃ１８］に記載の方法。
［Ｃ２０］
前記ＵＥに、アップリンクリソースの前記第１のサブセット上で前記チャネル占有情報を送信するように命令することは、リソースの前記インターレースを含むチャネルに関連する帯域幅要件が満たされることを引き起こす、［Ｃ１８］に記載の方法。
［Ｃ２１］
リソースの前記インターレースのうちのアップリンクリソースが、ＰＵＣＣＨフォーマット２を使用して構造化される、［Ｃ１５］に記載の方法。
［Ｃ２２］
リソースの前記インターレースのうちのアップリンクリソースが、ＰＵＣＣＨフォーマット３を使用して構造化される、［Ｃ１５］に記載の方法。
［Ｃ２３］
リソースの前記インターレースが、ライセンスされていないスペクトルのチャネル中に、またはロングタームエボリューション（ＬＴＥ）ネットワークに関連するチャネル中に含まれる、［Ｃ１５］に記載の方法。
［Ｃ２４］
ワイヤレス通信のための方法であって、前記方法は、
第１の送信のために、リソースの第１のインターレースを割り振ることと、ここにおいて、前記第１の送信が、ライセンスされていない無線周波数スペクトル帯域を占有するためのものであり、
第２の送信のために、リソースの少なくとも第２のインターレースを割り振ることと、ここにおいて、リソースの前記少なくとも第２のインターレースが、複数の基地局のうちの基地局によって占有され、
を備える、方法。
［Ｃ２５］
リソースの前記少なくとも第２のインターレースを割り振ることは、
リソースのインターレースが、前記複数の基地局のうちの第１の基地局に割り振られたと決定することと、
リソースの別のインターレースを前記複数の基地局のうちの第２の基地局に割り振ることと、リソースの前記別のインターレースが、リソースの前記インターレースとは異なる、
を備える、［Ｃ２４］に記載の方法。
［Ｃ２６］
ワイヤレス通信のための基地局であって、前記基地局が、
１つまたは複数のユーザ機器（ＵＥ）のペイロードのサイズを決定することと、
前記ペイロードの前記サイズに基づいて、前記１つまたは複数のＵＥの前記ペイロードを多重化すべきかどうかを決定することと、
前記１つまたは複数のＵＥの前記ペイロードを多重化するという前記決定に基づいて、リソースの単一のインターレース上で前記ペイロードを送信するために、１つまたは複数のコードあるいは１つまたは複数のサイクリックシフトのうちの少なくとも１つを前記１つまたは複数のＵＥに割り振ることと、
を行うための１つまたは複数のプロセッサ
を備える、基地局。
［Ｃ２７］
前記１つまたは複数のプロセッサは、前記ペイロードの前記サイズに基づいて、前記ペイロードを多重化すべきかどうかを決定するとき、
前記ペイロードの前記サイズが、ペイロードサイズしきい値を満たすかどうかに基づいて、前記ペイロードを多重化すべきかどうかを決定すること
をさらに行うためのものである、［Ｃ２６］に記載の基地局。
［Ｃ２８］
前記１つまたは複数のプロセッサが、前記１つまたは複数のコードあるいは前記１つまたは複数のサイクリックシフトのうちの前記少なくとも１つを前記１つまたは複数のＵＥに割り振るとき、
少なくとも２つのコードまたはサイクリックシフトにおいてを使用して、対応するペイロードを送信するために、前記少なくとも２つのコードまたはサイクリックシフトを前記１つまたは複数のＵＥのうちの単一のＵＥに割り振ること
をさらに行うためのものである、［Ｃ２６］に記載の基地局。
［Ｃ２９］
前記ペイロードが、前記１つまたは複数のコードのうちの少なくとも２つのコードを使用して、リソースの前記単一のインターレース上で符号分割多重化される、［Ｃ２６］に記載の基地局。
［Ｃ３０］
前記ペイロードが、前記１つまたは複数のサイクリックシフトのうちの少なくとも２つのサイクリックシフトを使用して、リソースの前記単一のインターレース上で多重化される、［Ｃ２６］に記載の基地局。